(57)【特許請求の範囲】
【請求項１】
第１のトーン間隔に関連する第１の直交周波数分割多重（ＯＦＤＭ）シンボル持続時間を使用するデバイスの第１のセットと、第２のトーン間隔に関連する第２のＯＦＤＭシンボル持続時間を使用するデバイスの第２のセットとの通信をサポートするシステムにおけるワイヤレス通信のための方法であって、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信することと、
前記第２のＯＦＤＭシンボル持続時間と前記第２のトーン間隔とを使用して、第２の時間期間中に第２のＳＩメッセージを送信すること、ここにおいて、前記第２のＳＩメッセージは、前記第１のＳＩメッセージに対する差分を備える、と、
前記第２のＯＦＤＭシンボル持続時間と前記第２のトーン間隔とを使用して、前記キャリアの前記第２の領域中で通信することと
を備える、方法。
【請求項２】
前記キャリアの前記狭帯域領域中の前記１つまたは複数のＤＲＳは、前記第１のＯＦＤＭシンボル持続時間と前記第１のトーン間隔とに従って動作する第１の受信機を使用して識別され、前記キャリアの前記第２の領域中の前記通信は、前記第２のＯＦＤＭシンボル持続時間と前記第２のトーン間隔とに従って動作する第２の受信機を使用し、
前記方法は、前記第１の受信機を使用してセル探索または測定プロシージャを実行することをさらに備え、前記１つまたは複数のＤＲＳは、前記セル探索または測定プロシージャに少なくとも部分的に基づいて識別される、
請求項１に記載の方法。
【請求項３】
前記方法は、
前記第１のＯＦＤＭシンボル持続時間と前記第１のトーン間隔とを使用して、第２のチャネル中で１つまたは複数の追加のＤＲＳを送信することをさらに備え、前記第２のチャネルは、前記デバイスの第２のセットとの通信をサポートする、または
第１の時間期間中に前記キャリアの第１のチャネル中で前記１つまたは複数のＤＲＳと第１のシステム情報（ＳＩ）メッセージとを送信すること、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信すること、ここにおいて、前記第２のチャネルは、前記デバイスの第２のセットとの通信をサポートする、と
をさらに備える、請求項１に記載の方法。
【請求項４】
前記方法は、
ユーザ機器（ＵＥ）から測定報告を受信することと、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定することと
をさらに備える、または
ユーザ機器（ＵＥ）から測定報告を受信することと、
前記測定報告に少なくとも部分的に基づいて、ネイバー基地局によって使用されるシステム帯域幅のチャネルの数を決定すること、ここにおいて、前記測定報告は、前記ネイバー基地局によって使用されるＤＲＳを備える各チャネルについての情報を備える、と
をさらに備える、請求項１に記載の方法。
【請求項５】
前記方法は、
プライマリチャネル上での複数のクリアチャネルアセスメント（ＣＣＡ）試みが、送信ウィンドウ中に不成功だったと決定することと、
前記送信ウィンドウ中に前記１つまたは複数のＤＲＳを送信することを控えることと
をさらに備える、または
前記キャリアのプライマリチャネル上での第１のＣＣＡ試みが不成功だったと決定することと、
前記キャリアの非プライマリチャネル上での第２のＣＣＡ試みが成功したと決定することと、
前記第１のＣＣＡ試みが不成功だったという前記決定と前記第２のＣＣＡ試みが成功したという前記決定とに少なくとも部分的に基づいて、前記非プライマリチャネル上で前記１つまたは複数のＤＲＳを送信すること、ここにおいて、前記非プライマリチャネルは、前記キャリアの前記狭帯域領域を備える、と
をさらに備える、請求項１に記載の方法。
【請求項６】
前記１つまたは複数のＤＲＳは、前記第１のＯＦＤＭシンボル持続時間と前記第１のトーン間隔とを使用する通信が、前記狭帯域領域を備えるチャネルによってサポートされるかどうかのインジケーションを備える、
請求項１に記載の方法。
【請求項７】
前記方法は、
前記１つまたは複数のＤＲＳ、ＳＩメッセージ、前記１つまたは複数のＤＲＳ内の異なるパイロット間の位相シフト、ＤＲＳ内のプライマリ同期信号（ＰＳＳ）に対するセカンダリ同期信号（ＳＳＳ）の相対ロケーション、または前記ＳＩメッセージの成功した復号試みに少なくとも部分的に基づいて、チャネルが、前記第１のＯＦＤＭシンボル持続時間と前記第１のトーン間隔とを使用する通信をサポートするかどうかを決定することをさらに備える、または
前記１つまたは複数のＤＲＳのための第１の送信電力レベルを識別すること、ここにおいて、前記第１の送信電力レベルは、前記１つまたは複数のＤＲＳを含んでいる送信によって占有される帯域幅に依存しない、と、
前記キャリアの帯域幅を識別することと、
前記１つまたは複数のＤＲＳのための前記第１の送信電力レベル、前記キャリアのための総送信電力、または前記１つまたは複数のＤＲＳを含んでいる前記送信によって占有される前記帯域幅、あるいはそれらの組合せに少なくとも部分的に基づいて、前記１つまたは複数のＤＲＳを含んでいる前記送信によって占有される前記帯域幅の外側の領域のための第２の送信電力レベルを調整することと
をさらに備える、請求項１に記載の方法。
【請求項８】
前記１つまたは複数のＤＲＳは、プライマリ同期信号（ＰＳＳ）、セカンダリ同期信号（ＳＳＳ）、マスタ情報ブロック（ＭＩＢ）、セル固有基準信号（ＣＲＳ）、チャネル状態情報基準信号（ＣＳＩ−ＲＳ）、またはそれらの任意の組合せを備える、または
前記１つまたは複数のＤＲＳは、前記デバイスの第１のセットと前記デバイスの第２のセットとに宛てられる、
請求項１に記載の方法。
【請求項９】
前記キャリアの前記狭帯域領域は、前記キャリアのチャネルの６つまたは８つの中心リソースブロック（ＲＢ）を備える、
請求項１に記載の方法。
【請求項１０】
前記狭帯域領域は、前記狭帯域領域が前記キャリアの前記第２の領域と周波数分割多重化されたとき、第１のガードバンドと第２のガードバンドとによって画定される、
請求項１に記載の方法。
【請求項１１】
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、
キャリアの狭帯域領域中の１つまたは複数の発見基準信号（ＤＲＳ）を識別するための手段、ここにおいて、前記１つまたは複数のＤＲＳは、前記第１のＯＦＤＭシンボル持続時間と前記第１のトーン間隔とを使用する、と、
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信するための手段と、
前記第２のＯＦＤＭシンボル持続時間と前記第２のトーン間隔とを使用して、第２の時間期間中に第２のＳＩメッセージを送信するための手段、ここにおいて、前記第２のＳＩメッセージは、前記第１のＳＩメッセージに対する差分を備える、と、
前記キャリアの第２の領域を識別するための手段、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信するための手段と
を備える、装置。
【請求項１２】
前記キャリアの前記狭帯域領域中の１つまたは複数のＤＲＳを前記識別するための手段は、前記第１のＯＦＤＭシンボル持続時間と前記第１のトーン間隔とに従って動作する第１の受信機を備え、前記キャリアの前記第２の領域中で前記通信するための手段は、前記第２のＯＦＤＭシンボル持続時間と前記第２のトーン間隔とに従って動作する第２の受信機を備え、
前記装置は、前記第１の受信機を使用してセル探索または測定プロシージャを実行するための手段をさらに備え、前記１つまたは複数のＤＲＳを前記識別するための手段は、前記セル探索または測定プロシージャに少なくとも部分的に基づいて動作可能である、
請求項１１に記載の装置。
【請求項１３】
前記第１のＯＦＤＭシンボル持続時間と前記第１のトーン間隔とを使用して、第２のチャネル中で１つまたは複数の追加のＤＲＳを送信するための手段をさらに備え、前記第２のチャネルは、前記デバイスの第２のセットとの通信をサポートする、
請求項１１に記載の装置。
【請求項１４】
前記装置は、
第１の時間期間中に前記キャリアの第１のチャネル中で前記１つまたは複数のＤＲＳと第１のシステム情報（ＳＩ）メッセージとを送信するための手段、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信するための手段、ここにおいて、前記第２のチャネルは、前記デバイスの第２のセットとの通信をサポートする、と
をさらに備える、または
ユーザ機器（ＵＥ）から測定報告を受信するための手段と、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定するための手段と、
をさらに備える、請求項１１に記載の装置。
【請求項１５】
プロセッサによって実行されると、前記プロセッサに、請求項１乃至１０のいずれか１項に記載の方法を実行させる命令を備える、コンピュータプログラム。
【発明の詳細な説明】
【相互参照】
【０００１】
[0001]本特許出願は、各々が本出願の譲受人に譲渡された、２０１６年８月２９日に出願された、「Enhanced Component Carrier Discovery Reference Signals」と題する、Ｙｏｏらによる米国特許出願第１５／２５０，５８６号、および２０１５年１０月５日に出願された、「Enhanced Component Carrier Discovery Reference Signals」と題する、Ｙｏｏらによる米国仮特許出願第６２／２３７，１７６号の優先権を主張する。
【背景技術】
【０００２】
[0002]以下は、一般にワイヤレス通信に関し、より詳細には、拡張コンポーネントキャリア発見基準信号（ＤＲＳ：discovery reference signal）に関する。
【０００３】
[0003]ワイヤレス通信システムは、音声、ビデオ、パケットデータ、メッセージング、ブロードキャストなど、様々なタイプの通信コンテンツを提供するために広く展開されている。
これらのシステムは、利用可能なシステムリソース（たとえば、時間、周波数、および電力）を共有することによって複数のユーザとの通信をサポートすることが可能であり得る。
そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの場合には、ワイヤレスシステムは、複数の物理（ＰＨＹ）レイヤ構成を使用する通信をサポートし得る。
たとえば、異なるＰＨＹレイヤ構成は、異なるシンボル持続時間および異なるトーン間隔を使用し得る。
異なるＰＨＹレイヤ構成は、デバイスの異なるセットと通信するために使用され得る。
異なるＰＨＹレイヤ構成を用いた異なるデバイスタイプをサポートするワイヤレスシステムは、デバイスが、ネットワークを識別し、それと同期し、それにアクセスすることを可能にするために、１つまたは複数のＤＲＳを使用し得る。
しかしながら、ＤＲＳが異なるデバイスに適合しない場合、いくつかのデバイスは、システムにアクセスするのに問題を経験し得る。
【発明の概要】
【０００５】
[0005]基地局が、キャリアのプライマリチャネルの狭帯域領域中で発見基準信号（ＤＲＳ）のセットを送信し得る。
ＤＲＳは、第１の直交周波数分割多重（ＯＦＤＭ）シンボル持続時間およびトーン間隔に基づく第１の物理レイヤ（ＰＨＹ）構成を有し得る。
キャリアのセカンダリチャネルが、第２のＯＦＤＭシンボル持続時間およびトーン間隔に基づく第２のＰＨＹ構成を使用する通信をサポートし得る。
いくつかの場合には、基地局は、デバイスの異なるセットをサポートするために、第１のＰＨＹ構成を使用して第１のシステム情報（ＳＩ）メッセージを送信し、次いで、第２のＰＨＹ構成を使用して第２のＳＩメッセージを送信し得る。
異なるシステム情報は、異なる時間にまたは異なるチャネル上で送信され得る（たとえば、第２のＰＨＹ構成を用いたシステム情報は、セカンダリチャネル上で送られ得る）。
【０００６】
[0006]第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信の方法が説明される。
本方法は、キャリアの狭帯域領域中の１つまたは複数のＤＲＳを識別することと、ここにおいて、１つまたは複数のＤＲＳは、第１のＯＦＤＭシンボル持続時間と第１のトーン間隔とを使用する、キャリアの第２の領域を識別することと、ここにおいて、第２の領域は、第２のＯＦＤＭシンボル持続時間と第２のトーン間隔とをサポートする、第２のＯＦＤＭシンボル持続時間と第２のトーン間隔とを使用して、キャリアの第２の領域中で通信することとを含み得る。
【０００７】
[0007]第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置が説明される。
本装置は、キャリアの狭帯域領域中の１つまたは複数のＤＲＳを識別するための手段と、ここにおいて、１つまたは複数のＤＲＳは、第１のＯＦＤＭシンボル持続時間と第１のトーン間隔とを使用する、キャリアの第２の領域を識別するための手段と、ここにおいて、第２の領域は、第２のＯＦＤＭシンボル持続時間と第２のトーン間隔とをサポートする、第２のＯＦＤＭシンボル持続時間と第２のトーン間隔とを使用して、キャリアの第２の領域中で通信するための手段とを含み得る。
【０００８】
[0008]第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のためのさらなる装置が説明される。
本装置は、プロセッサと、プロセッサと電子通信しているメモリと、メモリに記憶された命令とを含み得、命令は、プロセッサによって実行されたとき、本装置に、キャリアの狭帯域領域中の１つまたは複数のＤＲＳを識別することと、ここにおいて、１つまたは複数のＤＲＳは、第１のＯＦＤＭシンボル持続時間と第１のトーン間隔とを使用する、キャリアの第２の領域を識別することと、ここにおいて、第２の領域は、第２のＯＦＤＭシンボル持続時間と第２のトーン間隔とをサポートする、第２のＯＦＤＭシンボル持続時間と第２のトーン間隔とを使用して、キャリアの第２の領域中で通信することとを行わせるように動作可能である。
【０００９】
[0009]第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のためのコードを記憶する非一時的コンピュータ可読媒体が説明される。
コードは、キャリアの狭帯域領域中の１つまたは複数のＤＲＳを識別することと、ここにおいて、１つまたは複数のＤＲＳは、第１のＯＦＤＭシンボル持続時間と第１のトーン間隔とを使用する、キャリアの第２の領域を識別することと、ここにおいて、第２の領域は、第２のＯＦＤＭシンボル持続時間と第２のトーン間隔とをサポートする、第２のＯＦＤＭシンボル持続時間と第２のトーン間隔とを使用して、キャリアの第２の領域中で通信することとを行うために実行可能な命令を含み得る。
【００１０】
[0010]本明細書で説明される方法、装置、または非一時的コンピュータ可読媒体のいくつかの例では、キャリアの狭帯域領域中の１つまたは複数のＤＲＳは、第１のＯＦＤＭシンボル持続時間と第１のトーン間隔とに従って動作する第１の受信機を使用して識別され、ここにおいて、キャリアの第２の領域中の通信は、第２のＯＦＤＭシンボル持続時間と第２のトーン間隔とに従って動作する第２の受信機を使用する。
追加または代替として、いくつかの例は、第１の受信機を使用してセル探索または測定プロシージャを実行するためのプロセス、特徴、手段、または命令を含み得、ここにおいて、１つまたは複数のＤＲＳは、セル探索または測定プロシージャに少なくとも部分的に基づいて識別される。
【００１１】
[0011]本明細書で説明される方法、装置、または非一時的コンピュータ可読媒体のいくつかの例は、第１のＯＦＤＭシンボル持続時間と第１のトーン間隔とを使用して、第１の時間期間中に１つまたは複数のＤＲＳと第１のシステム情報メッセージとを送信することと、第２のＯＦＤＭシンボル持続時間と第２のトーン間隔とを使用して、第２の時間期間中に第２のシステム情報（ＳＩ）メッセージを送信することとを行うためのプロセス、特徴、手段、または命令をさらに含み得る。
追加または代替として、いくつかの例では、第２のＳＩメッセージは、第１のＳＩメッセージに対する差分を備える。
【００１２】
[0012]本明細書で説明される方法、装置、または非一時的コンピュータ可読媒体のいくつかの例では、１つまたは複数のＤＲＳ、第１のＳＩメッセージ、および第２のＳＩメッセージは、デバイスの第１のセットおよびデバイスの第２のセットとの通信をサポートする第１のチャネル上で送信され、本方法は、第１のＯＦＤＭシンボル持続時間と第１のトーン間隔とを使用して、第２のチャネル中で１つまたは複数の追加のＤＲＳを送信することをさらに備え、ここにおいて、第２のチャネルは、デバイスの第２のセットとの通信をサポートする。
追加または代替として、いくつかの例は、第１の時間期間中にキャリアの第１のチャネル中で１つまたは複数のＤＲＳと第１のＳＩメッセージとを送信することと、ここにおいて、第１のチャネルは、デバイスの第１のセットおよびデバイスの第２のセットとの通信をサポートする、第２の時間期間中にキャリアの第１のチャネルおよび第２のチャネル中で１つまたは複数の追加のＤＲＳと第２のＳＩメッセージとを送信することと、ここにおいて、第２のチャネルは、デバイスの第２のセットとの通信をサポートする、を行うためのプロセス、特徴、手段、または命令を含み得る。
【００１３】
[0013]本明細書で説明される方法、装置、または非一時的コンピュータ可読媒体のいくつかの例は、ＵＥから測定報告を受信することと、測定報告に少なくとも部分的に基づいて、ネイバー基地局のためのシステム帯域幅チャネルの数を、ネイバー基地局が、第２のＯＦＤＭシンボル持続時間と第２のトーン間隔とを使用する通信をサポートすることを、または、第２のＯＦＤＭシンボル持続時間および第２のトーン間隔が、ネイバー基地局によってサポートされないことを、決定することとを行うためのプロセス、特徴、手段、または命令をさらに含み得る。
追加または代替として、いくつかの例は、ＵＥから測定報告を受信することと、測定報告に少なくとも部分的に基づいて、ネイバー基地局によって使用されるシステム帯域幅のチャネルの数を決定することとを行うためのプロセス、特徴、手段、または命令を含み得る。
【００１４】
[0014]本明細書で説明される方法、装置、または非一時的コンピュータ可読媒体のいくつかの例では、測定報告は、ネイバー基地局によって使用されるＤＲＳを備える各チャネルについての情報を備える。
追加または代替として、いくつかの例は、プライマリチャネル上での複数のＣＣＡ試みが送信ウィンドウ中に不成功だったと決定することと、送信ウィンドウ中に１つまたは複数のＤＲＳを送信することを控えることとを行うためのプロセス、特徴、手段、または命令を含み得る。
【００１５】
[0015]本明細書で説明される方法、装置、または非一時的コンピュータ可読媒体のいくつかの例は、キャリアのプライマリチャネル上での第１のＣＣＡ試みが不成功だったと決定することと、キャリアの非プライマリチャネル上での第２のＣＣＡ試みが成功したと決定することと、第１のＣＣＡ試みが不成功だったという決定と第２のＣＣＡ試みが成功したという決定とに少なくとも部分的に基づいて、非プライマリチャネル上で１つまたは複数のＤＲＳを送信することと、ここにおいて、非プライマリチャネルは、キャリアの狭帯域領域を備える、を行うためのプロセス、特徴、手段、または命令をさらに含み得る。
追加または代替として、いくつかの例では、１つまたは複数のＤＲＳは、第１のＯＦＤＭシンボル持続時間と第１のトーン間隔とを使用する通信が、狭帯域領域を備えるチャネルによってサポートされるかどうかのインジケーションを備える。
【００１６】
[0016]本明細書で説明される方法、装置、または非一時的コンピュータ可読媒体のいくつかの例は、１つまたは複数のＤＲＳ、ＳＩメッセージ、１つまたは複数のＤＲＳ内の異なるパイロット間の位相シフト、ＤＲＳ内のプライマリ同期信号（ＰＳＳ）に対するセカンダリ同期信号（ＳＳＳ）の相対ロケーション、またはＳＩメッセージの成功した復号試みに少なくとも部分的に基づいて、チャネルが、第１のＯＦＤＭシンボル持続時間と第１のトーン間隔とを使用する通信をサポートするかどうかを決定するためのプロセス、特徴、手段、または命令をさらに含み得る。
追加または代替として、いくつかの例は、１つまたは複数のＤＲＳのための第１の送信電力レベルを識別することと、ここにおいて、第１の送信電力レベルは、１つまたは複数のＤＲＳを含んでいる送信によって占有される帯域幅に依存しない、キャリアの帯域幅を識別することと、１つまたは複数のＤＲＳのための第１の送信電力レベル、キャリアのための総送信電力、または１つまたは複数のＤＲＳを含んでいる送信によって占有される帯域幅、あるいはそれらの組合せに少なくとも部分的に基づいて、１つまたは複数のＤＲＳを含んでいる送信によって占有される帯域幅の外側の領域のための第２の送信電力レベルを調整することとを行うためのプロセス、特徴、手段、または命令を含み得る。
【００１７】
[0017]本明細書で説明される方法、装置、または非一時的コンピュータ可読媒体のいくつかの例では、１つまたは複数のＤＲＳは、ＰＳＳ、ＳＳＳ、マスタ情報ブロック（ＭＩＢ：master information block）、セル固有基準信号（ＣＲＳ）、チャネル状態情報基準信号（ＣＳＩ−ＲＳ）、またはそれらの任意の組合せを備える。
追加または代替として、いくつかの例では、１つまたは複数のＤＲＳは、デバイスの第１のセットとデバイスの第２のセットとに宛てられる。
【００１８】
[0018]本明細書で説明される方法、装置、または非一時的コンピュータ可読媒体のいくつかの例では、キャリアの狭帯域領域は、キャリアのチャネルの６つまたは８つの中心リソースブロックを備える。
追加または代替として、いくつかの例では、第１のＯＦＤＭシンボル持続時間は、第２のＯＦＤＭシンボル持続時間よりも大きく、第１のトーン間隔は、第２のトーン間隔よりも小さい。
【００１９】
[0019]本明細書で説明される方法、装置、または非一時的コンピュータ可読媒体のいくつかの例では、狭帯域領域は、狭帯域領域がキャリアの第２の領域と周波数分割多重化されたとき、第１のガードバンドと第２のガードバンドとによって画定される。
【図面の簡単な説明】
【００２０】
【図１】本開示の態様による、拡張コンポーネントキャリア（ｅＣＣ：enhanced component carrier）発見基準信号（ＤＲＳ）をサポートするワイヤレス通信システムの一例を示す図。
【図２】本開示の態様による、ｅＣＣ  ＤＲＳをサポートするワイヤレス通信システムの一例を示す図。
【図３Ａ】本開示の態様による、ｅＣＣ  ＤＲＳをサポートするＤＲＳ構成の一例を示す図。
【図３Ｂ】本開示の態様による、ｅＣＣ  ＤＲＳをサポートするＤＲＳ構成の一例を示す図。
【図３Ｃ】本開示の態様による、ｅＣＣ  ＤＲＳをサポートするＤＲＳ構成の一例を示す図。
【図４】本開示の態様による、ｅＣＣ  ＤＲＳをサポートするシステムにおけるプロセスフローの一例を示す図。
【図５】本開示の態様による、ｅＣＣ  ＤＲＳをサポートするワイヤレスデバイスのブロック図。
【図６】本開示の態様による、ｅＣＣ  ＤＲＳをサポートするワイヤレスデバイスのブロック図。
【図７】本開示の態様による、ｅＣＣ  ＤＲＳモジュールの図。
【図８】本開示の態様による、ｅＣＣ  ＤＲＳをサポートするデバイスを含むワイヤレス通信システムの図。
【図９】本開示の態様による、ｅＣＣ  ＤＲＳをサポートするデバイスを含むシステムの図。
【図１０】本開示の態様による、ｅＣＣ  ＤＲＳのための方法を示すフローチャート。
【図１１】本開示の態様による、ｅＣＣ  ＤＲＳのための方法を示すフローチャート。
【図１２】本開示の態様による、ｅＣＣ  ＤＲＳのための方法を示すフローチャート。
【図１３】本開示の態様による、ｅＣＣ  ＤＲＳのための方法を示すフローチャート。
【発明を実施するための形態】
【００２１】
[0029]いくつかのワイヤレス通信システムは、ワイヤレス通信のスループット、レイテンシ、または信頼性を改善するために、拡張コンポーネントキャリア（ｅＣＣ）を使用し得る。
ｅＣＣ動作をサポートするシステムでは、ユーザ機器（ＵＥ）は、ネットワークにおいて展開されるセルを発見するために、発見基準信号（ＤＲＳ）に依拠し得る。
ｅＣＣ通信と非ｅＣＣ通信との間のマルチチャネル共存をサポートし、異なるデバイスを用いた動作のための異なる物理（ＰＨＹ）レイヤ構成をサポートする、様々なＤＲＳ構成が説明される。
【００２２】
[0030]たとえば、いくつかの場合には、ｅＣＣは非ｅＣＣシステムとともに導入され得、ｅＣＣと非ｅＣＣの両方が、同じチャネル（たとえば、５ＧＨｚ上の無認可帯域中のチャネル）上でサービスされ得る。
非ｅＣＣシステムの例としては、ロングタームエボリューション（ＬＴＥ（登録商標））、ＬＴＥアドバンスト（ＬＴＥ−Ａ）、認可支援アクセス（ＬＡＡ：licensed assisted access）、または無認可スペクトルにおけるＬＴＥがあり得る。
ｅＣＣシステムの例としては、５Ｇの新しい無線（ＮＲ：new radio）システムがあり得る。
混合ネットワークが、非ｅＣＣ基地局とモバイルデバイスとを含み得る。
また、ｅＣＣ基地局が、非ｅＣＣデバイスをサービスするために非ｅＣＣ通信をサポートし得る。
【００２３】
[0031]ｅＣＣは、短いシンボル持続時間、広いトーン間隔、短いサブフレーム持続時間、競合ベーススペクトルにおける動作、または広帯域幅によって特徴づけられ得る。
ＤＲＳは、初期収集、ネイバーセル収集、ならびにサービングセルおよびネイバリングセルの測定のために使用され得る。
ＤＲＳは、同期および／または基準信号、システム情報信号、ならびに基準信号を含み得る。
【００２４】
[0032]いくつかの場合には、ｅＣＣ対応基地局が、非ｅＣＣ通信とｅＣＣ通信の両方をサポートし得る。
したがって、ｅＣＣ基地局は、様々なタイプのＵＥに適応するために、非ｅＣＣ  ＤＲＳとｅＣＣ  ＤＲＳの両方を送信し得る。
ｅＣＣキャリアは、比較的小さい帯域幅（たとえば、２０ＭＨｚ）を有し得る、非ｅＣＣキャリアと比較して、比較的広いシステム帯域幅（たとえば、８０ＭＨｚ）を有し得る。
さらに、ｅＣＣキャリアは、１つまたは複数のチャネル（たとえば、帯域幅のセグメント、たとえば、２０ＭＨｚ）を含み得る。
非ｅＣＣ  ＵＥは、ｅＣＣキャリア内でサービスされ得る。
いくつかの場合には、非ｅＣＣ  ＵＥは、ｅＣＣキャリア内のチャネルのサブセット上でサービスされ得る。
非ｅＣＣ  ＵＥがサービスされ得るチャネルをプライマリチャネルと呼び、非ｅＣＣ  ＵＥがサービスされないチャネルをセカンダリチャネルと呼ぶ。
ｅＣＣ  ＵＥは、広帯域ｅＣＣキャリアがプライマリチャネルとセカンダリチャネルの両方にわたるので、プライマリチャネルとセカンダリチャネルの両方上でサービスされる。
その結果、非ｅＣＣ  ＤＲＳは、プライマリチャネル上で送信され得る。
また、１つまたは複数のプライマリチャネルがあり得る。
【００２５】
[0033]プライマリチャネル上でのみ共有ＤＲＳを送信することと、すべてのチャネル上で別個のＤＲＳを送信することと、すべてのチャネル上で共有ＤＲＳを送信することとを含む、ｅＣＣ通信と非ｅＣＣ通信の両方に適応するＤＲＳの送信のためのいくつかの異なるオプションが存在し得る。
【００２６】
[0034]いくつかの場合には、ＵＥまたはネットワークは、非ｅＣＣ対応基地局とｅＣＣ対応基地局とを区別し得る。
ｅＣＣサービスの利用可能性に関する情報が、たとえば、マスタ情報ブロック（ＭＩＢ）または拡張ＭＩＢ（ｅＭＩＢ：enhanced MIB）中で、システム情報ブロック（ＳＩＢ：system information block）１または拡張ＳＩＢ１（ｅＳＩＢ１：enhanced SIB1）などのＳＩＢ中で搬送され得るか、あるいはＤＲＳ内で他の様式を通して伝達され得る。
さらに、基地局は、そのＵＥにネイバリングセルのＤＲＳの測定を実行するように要求することによって、ネイバリングセルの測定を取得し得る。
いくつかの場合には、測定は、ＵＥに、ネイバーセルタイプ（たとえば、ｅＣＣまたは非ｅＣＣ）またはそのセルに関連する帯域幅を伝えないことがある。
しかしながら、基地局は、ＵＥによって取得された測定情報を解釈し、セルタイプを暗黙的に決定し得る。
【００２７】
[0035]いくつかの例では、（たとえば、適切な測定のために、および進行中のデータ送信における中断を回避するために）ＤＲＳ送信のための一定の電力スペクトル密度（ＰＳＤ：power spectral density）を維持するために、送信の電力スケーリングが採用され得る。
例として、基地局は、送信の帯域幅にかかわらず、中心の６つのリソースブロック（ＲＢ）上で固定ＰＳＤを使用し得る。
【００２８】
[0036]上記で紹介された本開示の態様は、ワイヤレス通信システムのコンテキストにおいて以下でさらに説明される。
ＤＲＳ構成の複数の異なる例も説明される。
本開示の態様は、さらに、ｅＣＣ  ＤＲＳに関係する装置図、システム図、およびフローチャートによって示され、それらを参照しながら説明される。
【００２９】
[0037]図１は、本開示の様々な態様による、ｅＣＣ  ＤＲＳをサポートするワイヤレス通信システム１００の一例を示す。
ワイヤレス通信システム１００は、基地局１０５と、ＵＥ１１５と、コアネットワーク１３０とを含む。
いくつかの例では、ワイヤレス通信システム１００はＬＴＥ／ＬＴＥ−Ａネットワークであり得る。
ワイヤレスシステム１００は、組み合わせられたＤＲＳの構成を使用するｅＣＣ通信と非ｅＣＣ通信との間のマルチチャネル共存をサポートし得る。
【００３０】
[0038]基地局１０５は、１つまたは複数の基地局アンテナを介してＵＥ１１５とワイヤレス通信し得る。
各基地局１０５は、それぞれの地理的カバレージエリア１１０に通信カバレージを与え得る。
ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
ＵＥ１１５は、ワイヤレス通信システム１００全体にわたって分散され得、各ＵＥ１１５は固定または移動であり得る。
ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。
ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。
いくつかのＵＥ１１５は、ｅＣＣを使用する通信をサポートし得るが、ｅＣＣ通信は、いくつかのＵＥ１１５によってサポートされないことがある。
したがって、システム１００は、異なるＰＨＹレイヤ構成に従って動作することが可能なデバイスの複数のセットとの通信をサポートし得る。
【００３１】
[0039]基地局１０５は、コアネットワーク１３０および互いと通信し得る。
たとえば、基地局１０５は、バックホールリンク１３２（たとえば、Ｓ１など）を通してコアネットワーク１３０とインターフェースし得る。
基地局１０５は、直接または間接的にのいずれかで（たとえば、コアネットワーク１３０を通して）バックホールリンク１３４（たとえば、Ｘ２など）を介して互いと通信し得る。
基地局１０５は、ＵＥ１１５との通信のための無線構成およびスケジューリングを実行し得るか、または基地局コントローラ（図示せず）の制御下で動作し得る。
いくつかの例では、基地局１０５は、マクロセル、スモールセル、ホットスポットなどであり得る。
基地局１０５はｅノードＢ（ｅＮＢ）１０５と呼ばれることもある。
【００３２】
[0040]いくつかの場合には、ＵＥ１１５または基地局１０５は、共有または無認可周波数スペクトルにおいて動作し得る。
これらのデバイスは、チャネルが利用可能であるかどうかを決定するために、通信するより前にクリアチャネルアセスメント（ＣＣＡ：clear channel assessment）または拡張ＣＣＡ（ｅＣＣＡ：enhanced CCA）を実行し得る。
ＣＣＡは、任意の他のアクティブ送信があるかどうかを決定するためのエネルギー検出プロシージャを含み得る。
たとえば、デバイスは、電力計の受信信号強度インジケータ（ＲＳＳＩ：received signal strength indicator）の変化が、チャネルが占有されることを示すと推論し得る。
詳細には、ある帯域幅中に集中し、所定の雑音フロアを超える信号電力が、別のワイヤレス送信機の存在を示し得る。
ＣＣＡは、チャネルの使用を示す特定のシーケンスの検出をも含み得る。
たとえば、別のデバイスが、データシーケンスを送信するより前に特定のプリアンブルを送信し得る。
【００３３】
[0041]いくつかの場合には、ワイヤレス通信システム１００は、１つまたは複数のｅＣＣを利用し得る。
上述のように、ｅＣＣは、短いシンボル持続時間と、広いトーン間隔と、短いサブフレーム持続時間と、広帯域幅とを含む、１つまたは複数の特徴によって特徴づけられ得る。
いくつかの場合には、ｅＣＣは、（たとえば、複数のサービングセルが準最適なバックホールリンクを有するとき）キャリアアグリゲーション（ＣＡ）構成またはデュアル接続性構成に関連し得る。
ｅＣＣはまた、（たとえば、２つ以上の事業者が、スペクトルを使用することを認可された場合）無認可スペクトルまたは共有スペクトルにおいて使用するために構成され得る。
システム１００によって利用される帯域幅の様々な部分が、ｅＣＣ動作をサポートし得る。
【００３４】
[0042]広帯域幅によって特徴づけられるｅＣＣは、１つまたは複数のチャネルセグメントを含み得る。
たとえば、ｅＣＣキャリア帯域幅は、８０ＭＨｚであり得、４つの２０ＭＨｚチャネルセグメントを含み得る。
ＣＣＡ／ｅＣＣＡは、各２０ＭＨｚチャネル上で別個に実行され得、ｅＣＣデバイス（たとえば、基地局およびＵＥ）による送信は、ＣＣＡ／ｅＣＣＡ成功を条件とすることがある。
したがって、ＣＣＡ／ｅＣＣＡがチャネルセグメントのうちのいくつかの上で失敗した場合、所与の送信インスタンスのための実際の送信帯域幅は、ｅＣＣキャリア帯域幅よりも小さくなり得る。
基地局１０５のうちのいくつかは、ｅＣＣを使用する通信をサポートし得るが、ｅＣＣは、そのシステムを用いたいくつかの基地局１０５によってサポートされないことがある。
【００３５】
[0043]ｅＣＣは、短いシンボル持続時間またはＴＴＩ長さを使用し得る。
より短いシンボル持続時間は、増加されたサブキャリア間隔に関連し得る。
ｅＣＣは、動的時分割複信（ＴＤＤ：time division duplex）動作を利用し得る（すなわち、それは、動的状況に従って短いバーストの間にＤＬ動作からＵＬ動作に切り替わり得る）。
ｅＣＣを使用する通信の例は、認可スペクトル、無認可スペクトル、または共有スペクトルにおいて展開される５Ｇ  ＮＲ、あるいは６ＧＨｚを下回る無線周波数（ＲＦ）スペクトル帯域を使用すること、あるいはミリメートル波（ｍｍＷ）ＲＦスペクトル帯域を使用することを含み得る。
【００３６】
[0044]ワイヤレスネットワークにアクセスすることを試みるＵＥ１１５は、基地局１０５からのプライマリ同期信号（ＰＳＳ）を検出することによって、初期セル探索を実行し得る。
ＰＳＳは、スロットタイミングの同期を可能にし得、ＰＨＹレイヤ識別情報値を示し得る。
次いで、ＵＥ１１５は、セカンダリ同期信号（ＳＳＳ）を受信し得る。
ＳＳＳは、無線フレーム同期を可能にし得、セルを識別するためのＰＨＹレイヤ識別情報値と組み合わせられ得る、セル識別情報（ＣＩＤ）値を与え得る。
ＳＳＳはまた、複信モードおよびサイクリックプレフィックス（ＣＰ）長の検出を可能にし得る。
ＴＤＤシステムなど、いくつかのシステムは、ＳＳＳを送信するがＰＳＳを送信しないことがある。
ＰＳＳとＳＳＳの両方が、それぞれ、キャリアの中心の６２個と７２個のサブキャリア中にあり得る。
ＰＳＳとＳＳＳとを受信した後に、ＵＥ１１５は、物理ブロードキャストチャネル（ＰＢＣＨ：physical broadcast channel）中で送信され得る、ＭＩＢを受信し得る。
ＭＩＢは、システム帯域幅情報と、システムフレーム番号（ＳＦＮ：system frame number）と、物理ハイブリッド自動再送要求インジケータチャネル（ＰＨＩＣＨ：physical hybrid automatic repeat request indicator channel）構成とを含んでいることがある。
【００３７】
[0045]ＭＩＢを復号した後に、ＵＥ１１５は、１つまたは複数のＳＩＢを受信し得る。
たとえば、ＳＩＢ１は、セルアクセスパラメータと他のＳＩＢのためのスケジューリング情報とを含んでいることがある。
ＳＩＢ１を復号することは、ＵＥ１１５がＳＩＢ２を受信することを可能にし得る。
ＳＩＢ２は、ランダムアクセスチャネル（ＲＡＣＨ：random access channel）プロシージャと、ページングと、物理アップリンク制御チャネル（ＰＵＣＣＨ：physical uplink control channel）と、物理アップリンク共有チャネル（ＰＵＳＣＨ：physical uplink shared channel）と、電力制御と、サウンディング基準信号（ＳＲＳ：sounding reference signal）と、セル禁止とに関係する無線リソース制御（ＲＲＣ）構成情報を含んでいることがある。
初期セル同期を完了した後に、ＵＥ１１５は、ネットワークにアクセスするより前にＭＩＢと、ＳＩＢ１と、ＳＩＢ２とを復号し得る。
ＭＩＢは、ＰＢＣＨ上で送信され得、各無線フレームの第１のサブフレームの第２のスロットの最初の４つのＯＦＤＭＡシンボルを利用し得る。
それは、周波数領域中の中間の６つのＲＢ（すなわち、７２個のサブキャリア）を使用し得る。
【００３８】
[0046]ＭＩＢは、たとえば、ＲＢ単位のＤＬチャネル帯域幅、ＰＨＩＣＨ構成（たとえば、持続時間およびリソース割当て）、およびＳＦＮを含む、ＵＥ初期アクセスのための情報を搬送する。
新しいＭＩＢが、第４の無線フレーム（すなわち、ＳＦＮ  ｍｏｄ  ４＝０）ごとにブロードキャストされ、フレームごとに（たとえば、１０ｍｓごとに）再ブロードキャストされ得る。
各繰返しは、異なるスクランブリングコードを用いてスクランブルされる。
ＭＩＢ（たとえば、新しいバージョンまたはコピーのいずれか）を読み取った後に、ＵＥ１１５は、それが、成功した巡回冗長コード（ＣＲＣ：cyclic redundancy code）検査を得るまで、スクランブリングコードの異なる位相を試み得る。
スクランブリングコードの位相（たとえば、０、１、２、または３）は、ＵＥ１１５が、４つの繰返しのうちのどれが受信されたかを識別することを可能にし得る。
したがって、ＵＥ１１５は、復号された送信中のＳＦＮを読み取ることと、スクランブリングコード位相を加えることとによって現在のＳＦＮを決定し得る。
【００３９】
[0047]ＭＩＢを受信した後に、ＵＥ１１５は１つまたは複数のＳＩＢを受信し得る。
異なるＳＩＢが、伝達されるシステム情報のタイプに従って定義され得る。
新しいＳＩＢ１は、第８のフレーム（すなわち、ＳＦＮ  ｍｏｄ４＝０）ごとの第５のサブフレーム中で送信され、１つおきのフレームごとに（たとえば、２０ｍｓごとに）再ブロードキャストされ得る。
ＳＩＢ１は、セル識別情報を含み得る、アクセス情報を含み得、それはまた、ＵＥ１１５が基地局１０５にキャンプオンすることが可能にされるかどうかを示し得る。
ＳＩＢ１はまた、セル選択情報を含み得るか、またはセル選択パラメータを含み得る。
追加として、ＳＩＢ１は、他のＳＩＢのためのスケジューリング情報を含み得る。
ＳＩＢ２は、ＳＩＢ１中の情報に従って動的にスケジュールされ得、共通および共有チャネルに関係するアクセス情報およびパラメータを含み得る。
ＳＩＢ２の周期性は、８つ、１６個、３２個、６４個、１２８個、２５６個、または５１２個の無線フレームに設定され得る。
いくつかの場合には（たとえば、ｅＣＣ動作をサポートするシステムでは）、同期信号と、システム情報信号と、基準信号との組合せが、まとめてＤＲＳとして知られていることがある。
ｅＣＣ  ＤＲＳは、対応する非ｅＣＣ信号のいくつかの態様を利用し得るが、また、ｅＣＣ動作の態様に基づいて異なり得る。
【００４０】
[0048]したがって、基地局１０５は、キャリアのプライマリチャネルの狭帯域領域中でＤＲＳを送信し得る。
ＤＲＳは、第１の直交周波数分割多重（ＯＦＤＭ）シンボル持続時間およびトーン間隔に基づく第１のＰＨＹ構成を有し得る。
キャリアのセカンダリチャネルが、第２のＯＦＤＭシンボル持続時間およびトーン間隔に基づく第２のＰＨＹ構成を使用する通信をサポートし得る。
ＤＲＳ送信の外側のキャリアのプライマリチャネルは、第１のＯＦＤＭシンボル持続時間およびトーン間隔または第２のＯＦＤＭシンボル持続時間およびトーン間隔のいずれかに基づく、第１のＰＨＹ構成または第２のＰＨＹ構成のいずれかを使用する通信をサポートし得る。
いくつかの場合には、基地局１０５は、ＵＥ１１５の異なるセットをサポートするために、第１のＰＨＹ構成を使用して第１のシステム情報（ＳＩ）メッセージを送信し、次いで、第２のＰＨＹ構成を使用して第２のＳＩメッセージを送信し得る。
異なるシステム情報は、異なる時間にまたは異なるチャネル上で送信され得る（たとえば、第２のＰＨＹ構成を用いたシステム情報は、セカンダリチャネル上で送られ得る）。
【００４１】
[0049]図２は、本開示の態様による、ｅＣＣ  ＤＲＳのためのワイヤレス通信システム２００の一例を示す。
ワイヤレス通信システム２００は、図１を参照しながら説明された対応するデバイスの例であり得る、基地局１０５−ａとＵＥ１１５−ａとを含み得る。
ワイヤレス通信システム２００は、スループット、レイテンシ、および信頼性を改善するために、ｅＣＣを使用し得る。
ＵＥ１１５−ａは、基地局１０５−ａなどのセルを発見するためにＤＲＳに依拠し得る。
ワイヤレス通信システム２００は、組み合わせられたＤＲＳの構成を使用するｅＣＣ通信と非ｅＣＣ通信との間のマルチチャネル共存をサポートし得る。
【００４２】
[0050]いくつかの例では、ｅＣＣは、短いシンボル持続時間（たとえば、６６．７μｓとは対照的に１６．６７μｓ）、広いトーン間隔（たとえば、１５ｋＨｚとは対照的に７５ｋＨｚ）、短いサブフレーム持続時間（たとえば、２００μｓ）、競合ベーススペクトルにおける動作、または広帯域幅（たとえば、８０ＭＨｚ、１００ＭＨｚなど）によって特徴づけられる。
競合ベースまたは無認可無線周波数帯域を利用するｅＣＣは、たとえば、リッスンビフォアトーク（ＬＢＴ：listen before talk）プロシージャを採用し得る。
したがって、ｅＣＣベースの通信はまた、効率的なＰＨＹレイヤ／媒体アクセス制御（ＭＡＣ）設計により、他の通信システムと比較して、低コスト実装を可能にする設計特徴（たとえば、複数の２０ＭＨｚ非ｅＣＣキャリアとは対照的に８０ＭＨｚ展開）を可能にし得る。
【００４３】
[0051]いくつかの場合には、ｅＣＣは、無認可スペクトル上でのスタンドアロン展開など、共有アクセスシステム、または認可スペクトルにおけるプライマリキャリアとともにＣＡ構成において無認可スペクトルにおけるセカンダリキャリア（たとえば、ＳＣｅｌｌ）を使用するＬＡＡシステムの発展として使用され得る。
ｅＣＣ通信はまた、認可帯域（たとえば、特定の使用のために認可された無線周波数スペクトル帯域）上にあり得、インカンベントな（incumbent）、優先アクセスライセンシー（ＰＡＬ：priority access licensee）と一般許可アクセス（ＧＡＡ：general authorized access）との間の適応可能な垂直共有など、認可された共有アクセスに関連し得る。
【００４４】
[0052]ＤＲＳは、初期収集、ネイバーセル収集、ならびにサービングセルおよびネイバリングセルの測定のために使用され得る。
ＤＲＳは、同期および／または基準信号（たとえば、ＰＳＳ、ＳＳＳ、セル固有基準信号（ＣＲＳ）など）と、システム情報信号と、基準信号（たとえばＣＲＳ、チャネル状態情報基準信号（ＣＳＩ−ＲＳ）など）とを含み得る。
ＤＲＳは準周期的に送信され得、ＤＲＳ測定タイミング構成（ＤＭＴＣ：DRS measurement timing configuration）ウィンドウが、周期的に（たとえば、８０ｍｓごとに）定義され得る。
いくつかの場合には、ＤＲＳは、ＣＣＡの成功とともにＤＭＴＣウィンドウ内に送信され得、１つのＤＭＴＣウィンドウ内に複数のＤＲＳ送信機会があり得る。
いくつかの場合には、ＤＲＳは、ｅＣＣを使用して通信することが可能でない基地局１０５（すなわち、非ｅＣＣ基地局１０５）によって送信され得る。
【００４５】
[0053]いくつかの場合には、ＰＳＳおよびＳＳＳなど、ｅＣＣ同期信号は、中心の６つのＲＢ（たとえば、１．０８ＭＨｚ）上で搬送され得、狭帯域波形を用いた、および（すなわち、２０ＭＨｚ上でのデータ送信のためのｅＣＣサンプリングレートおよび非ｅＣＣサンプリングレートに対して）より低いサンプリングレートを用いたセル探索を可能にし得る。
いくつかの場合には、同期信号はチャネルにわたって拡散され得る。
いくつかの場合には、同期信号シーケンスはインターリーブされたトーンを介して送信され得、新しいｅＣＣ同期信号シーケンスが定義され得る。
とはいえ、いくつかの事例では、これは、微細時間解像度による探索複雑さをもたらし得る。
他の例では、同期信号シーケンスは、ｅＣＣに関連するヌメロロジー（たとえば、ｅＣＣシンボル持続時間、周波数ギャップなど）を用いて帯域の中心上で送信され得る。
たとえば、７５ｋＨｚ  ｅＣＣサブキャリア間隔を用いておよび７２個のトーン上で送信されると、同期信号は約５ＭＨｚを占有し得る。
いくつかの例では、同期信号を含んでいる波形は、非ｅＣＣヌメロロジー（たとえば、ＰＳＳ／ＳＳＳが中心１ＭＨｚを占有する、１５ｋＨｚサブキャリア間隔）を使用して送信され得る。
代替的に、ＵＥ１１５−ａがタイミングを決定するために使用し得る新しいシーケンスが送信され得、ＵＥ１１５−ａがタイミングを知ると、同期信号は使用され得る。
【００４６】
[0054]例として、基地局１０５−ａは、非ｅＣＣ通信とｅＣＣ通信の両方をサポートし得る。
したがって、基地局１０５−ａは、様々なタイプのＵＥ１１５に適応するために、非ｅＣＣ  ＤＲＳとｅＣＣ  ＤＲＳの両方を送信し得る。
ｅＣＣは、比較的小さい帯域幅を有し得る非ｅＣＣキャリア（たとえば、単一の２０ＭＨｚ帯域）と比較して、比較的広いシステム帯域幅（たとえば、複数の２０ＭＨｚチャネルを含み得る８０ＭＨｚ）を有し得る。
ｅＣＣキャリアは、１つまたは複数のチャネル（たとえば、４つの２０ＭＨｚチャネル）を含み得る。
いくつかの場合には、非ｅＣＣ  ＵＥ１１５は、プライマリチャネル（たとえば、１つのプライマリ２０ＭＨｚチャネル）上でサービスされ得、その結果、非ｅＣＣ  ＤＲＳは、プライマリチャネル上でのみ送信され得る。
ＵＥ１１５をサービスする１つまたは複数のプライマリチャネルがあり得る。
【００４７】
[0055]同期信号を含んでいる波形が非ｅＣＣ特性を使用して送信される場合、たとえば、中心のＮ個のリソースブロック（たとえば、ここで、Ｎ＝６）は、ＰＳＳ／ＳＳＳなど、同期信号を含んでいることがある。
中心のＮ個のリソースブロックは、システム情報を伝達するためのｅＭＩＢと、ＣＲＳと、ＣＳＩ−ＲＳとをも含んでいることがある。
中心のＮ個のＲＢの外側で送信されるＤＲＳは、関連する基準信号および制御チャネル情報とともに、追加のシステム情報を伝達するためのｅＳＩＢ１を含んでいることがある。
【００４８】
[0056]いくつかの場合には、ｅＣＣ  ＤＲＳのためのハイブリッドヌメロロジーが使用され得る。
中心帯域上のＤＲＳは、非ｅＣＣヌメロロジー（たとえば１５ｋＨｚトーン間隔）を使用し得、チャネル内のＤＲＳの外側の領域は、ｅＣＣヌメロロジー（たとえば７５ｋＨｚトーン間隔）を使用し得る。
いくつかの場合には、キャリア間干渉を低減するためにガードバンドが使用され得る。
さらに、ＵＥ１１５−ａは、７５ｋＨｚトーン間隔において受信されたシンボルを処理するための（すなわち、受信されたｅＣＣデータを処理するためなどの）メインデータブランチ、および１５ｋＨｚトーン間隔において中心帯域においてＤＲＳを受信するための狭帯域またはセル探索器ブランチなど、２つの並列ハードウェアブランチを有し得る。
【００４９】
[0057]（たとえば、図３Ａに示されているように）プライマリチャネル上でのみ共有ＤＲＳを送信することと、（たとえば、図３Ｂに示されているように）すべてのチャネル上で別個のＤＲＳを送信することと、（たとえば、図３Ｃに示されているように）すべてのチャネル上で共有ＤＲＳを送信することとを含む、ｅＣＣ通信と非ｅＣＣ通信の両方に適応するＤＲＳの送信のためのいくつかの異なるオプションが存在し得る。
【００５０】
[0058]共有ＤＲＳがプライマリチャネル上で送信されるとき、別個のｅＣＣ  ＤＲＳ送信がないことがある。
しかしながら、いくつかの場合には、別個の情報を含んでいるか、または先行するＳＩＢ１に対する差分を示す、ｅＣＣ  ＳＩＢ１が送信され得る。
ｅＣＣ  ＳＩＢ１は７５ｋＨｚトーン間隔を使用し得る。
その結果、非ｅＣＣ  ＵＥ１１５は非ｅＣＣ  ＤＲＳ部分のみを認識し得る。
いくつかの場合には、非ｅＣＣ  ＤＲＳとｅＣＣ  ＳＩＢ１とは、新しい組み合わせられたＤＲＳとして送信され得る。
さらに、ＤＲＳは、非ｅＣＣ  ＤＲＳのみを含んでいることがあり、ｅＣＣ  ＳＩＢ１は、別個の時間／周波数オケージョンにおいて送信され得る。
【００５１】
[0059]共有ＤＲＳがプライマリチャネル上で送信される初期収集プロシージャのいくつかの例では、および図３Ａを参照しながら以下でさらに説明されるように、セル探索器ブランチは同期信号を検出し得、ＵＥ１１５−ａはＳＩＢ１を検出し得る。
ｅＣＣ収集が続き得、ここで、メインハードウェアブランチは、プライマリチャネル上でｅＣＣ  ＳＩＢ１を読み取り得、帯域幅を決定し得る。
その結果、メインデータブランチはシステム帯域幅まで開き得る。
【００５２】
[0060]追加または代替として、セル探索器ブランチは同期信号を探索し得、メインデータブランチは、プライマリチャネル上でｅＣＣ  ＳＩＢ１を読み取り、帯域幅を決定し得る。
メインデータブランチは、次いで、システム帯域幅まで開き得る。
いくつかの場合には、ＵＥ１１５−ａは、初期収集中に、基地局１０５−ａが、非ｅＣＣ対応基地局１０５であるのか、ｅＣＣ対応基地局１０５であるのかを知らないことがある。
これを解決するために、ｅＣＣサービスに関する情報が、ｅＭＩＢ、ＳＩＢ１中で搬送され得るか、あるいは、ＤＲＳ内で他の様式を通してまたはｅＣＣ  ＳＩＢ１の成功した復号を通して伝達され得る。
【００５３】
[0061]基地局１０５−ａがネイバリングセルの測定を取得することを望むとき、ＵＥ１１５−ａは、ネイバリングセルのＤＲＳの測定を実行し得る。
いくつかの場合には、測定は、ＵＥ１１５−ａに、ネイバーセルタイプ（たとえば、ｅＣＣまたは非ｅＣＣ）またはそのセルに関連する帯域幅を伝えないことがある。
しかしながら、基地局１０５−ａは、他の様式（たとえば、ｅＮＢ間のＸ２インターフェース、測定の履歴など）を通して取得された情報を利用し、それに応じて、ＵＥ１１５−ａによって取得された測定情報を解釈し、セルタイプを暗黙的に決定し得る。
いくつかの場合には、基地局１０５−ａは、ＵＥ１１５−ａに、ネイバリングｅＭＩＢおよび／またはＳＩＢ１を読み取ることを実行し、ネイバリングセル情報を返報するように要求し得る。
【００５４】
[0062]いくつかの例では、基地局１０５−ａは、プライマリチャネル上でのすべてのＣＣＡ試みに失敗し得、その結果、基地局１０５−ａは、所与のＤＭＴＣウィンドウ中でＤＲＳを送らないことがある。
代替的に、ＤＲＳは、ＣＣＡが成功した非プライマリチャネル上で送られ得る。
ＤＲＳが非プライマリチャネル上で送られる場合、異なるタイプのＵＥ１１５の間に、どのチャネルを使用すべきかに関するさらなるあいまいさがあり得る。
すなわち、いくつかのＵＥ１１５は、非プライマリチャネルが非ｅＣＣサービスを搬送すること、または、非プライマリチャネルがｅＣＣチャネルであることを決定し得る。
潜在的あいまいさを解決するために、基地局１０５−ａは、ｅＭＩＢまたはＳＩＢ１中で、チャネル上に非ｅＣＣサービスがないことと、チャネルがｅＣＣキャリアの非プライマリチャネルであることとを伝達し得る。
【００５５】
[0063]ＤＲＳ送信が別個であり、すべてのチャネルにわたるとき、ＤＲＳは、すべてのチャネル上に存在し、別個のｅＣＣ  ＤＲＳが、中心の６つのＲＢ上で非ｅＣＣヌメロロジーを使用し得る。
ＤＲＳ送信が別個であり、すべてのチャネルにわたる初期収集プロシージャのいくつかの例では、および図３Ｂを参照しながら以下でさらに説明されるように、セル探索器ブランチは、任意のチャネル上で同期信号を探索し得、メインデータブランチは、チャネル上でｅＣＣ  ＳＩＢ１を読み取り、帯域幅を決定し得る。
メインデータブランチは、次いで、システム帯域幅まで開き得る。
【００５６】
[0064]ＤＲＳ送信が分離され、すべてのチャネルにわたる場合、どのＵＥ１１５がサポートされるかに関するあいまいさがあり得る。
たとえば、プライマリチャネル上で、ｅＣＣ  ＰＳＳ／ＳＳＳを有効として検出し得るが、ＳＩＢ１の位置を特定するのに問題を有し得る、非ｅＣＣ  ＵＥ１１５に関するあいまいさがあり得る。
これを解決するためにいくつかのステップが取られ得る。
たとえば、基地局１０５−ａは、ｅＭＩＢ中で、非ｅＣＣサービスがあることを示す情報を伝達し得る。
同様に、非プライマリチャネル上で、有効なＰＳＳ／ＳＳＳを検出するＵＥ１１５に関するあいまいさを回避するためのステップが取られ得る。
したがって、利用可能な非ｅＣＣサービスがないことを示す情報が、ｅＭＩＢ中で再び伝達され得る。
【００５７】
[0065]いくつかの例では、ｅＣＣをサポートする、基地局１０５の能力に関する決定が行われ得る。
たとえば、ｅＣＣサービスの利用可能性に関する情報が、ｅＭＩＢ中で、ＳＩＢ１中で搬送され得るか、またはＤＲＳ内で他の様式を通して伝達され得る。
たとえば、異なる位相シフト値が、情報を搬送するために２つのアンテナポート間で（たとえば、ＣＲＳポートとＣＳＩ−ＲＳポートとの間で）使用され得る。
代替的に、ｅＣＣ  ＳＩＢ１の成功した復号がｅＣＣサービスを示し得る。
さらに、基地局１０５−ａがネイバリングセル測定を取得するために、ＵＥ１１５−ａは、ネイバリングセルタイプを知っており、周波数帯域（たとえば、２０ＭＨｚ）上でセル測定を報告し得る。
【００５８】
[0066]他の場合には、および以下の図３Ｃを参照しながらさらに説明されるように、すべてのチャネルにわたる共有ＤＲＳの送信があり得る。
すなわち、共有ｅＣＣ  ＤＲＳが、中心の６つのＲＢ上で非ｅＣＣヌメロロジーを使用して送信され得る。
ＵＥ１１５−ａが、中心の６つのＲＢを使用する非プライマリ帯域からプライマリ帯域を決定することが適切であり得る。
いくつかの場合には、ＤＲＳ内の同期信号の相対ロケーションを含む、互いに対する同期信号の異なる相対ロケーション（たとえば、ＳＳＳに対するＳＳＳの異なるロケーション）が使用され得る。
代替的に、プライマリ帯域または非プライマリ帯域に関する情報が、ｅＭＩＢ中に含まれていることがあり、異なる位相シフト値が、２つのアンテナポート間のプライマリ帯域および非プライマリ帯域のために使用され得る。
【００５９】
[0067]いくつかの場合には、ＵＥ１１５−ａが非プライマリチャネル上で基地局１０５−ａを検出した場合、基地局１０５−ａは、ｅＭＩＢまたはＳＩＢ１中で、チャネル上に非ｅＣＣサービスがないという情報、および、チャネルがｅＣＣキャリアの非プライマリチャネルであるという情報を伝達し得る。
さらに、ＵＥ１１５−ａは、このチャネルがｅＣＣ通信の一部であると決定し、知られているタイミングを用いてプライマリチャネルについて隣接するチャネルを探索し得る。
【００６０】
[0068]いくつかの例では、ＵＥ１１５−ａは、初期収集中に、基地局１０５−ａが、非ｅＣＣ対応であるのか、ｅＣＣ対応であるのかを決定し得る。
情報は、ｅＭＩＢ、ＳＩＢ１中で搬送されるｅＣＣサービスインジケーション上で、または別のＤＲＳインジケーションを用いて伝達され得る。
たとえば、異なる位相シフトが、ｅＣＣ能力をシグナリングするためにＣＳＩ−ＲＳ上で使用され得る。
代替的に、ＵＥ１１５−ａが最初に非プライマリチャネルを検出した場合、ＵＥ１１５−ａは、基地局１０５−ａがｅＣＣ対応であると決定し得、ＵＥ１１５−ａが最初にプライマリチャネルを検出した場合、ＵＥ１１５−ａは、（たとえば、２０ＭＨｚ  ｅＣＣシステム帯域幅が存在しないと仮定して）隣接する非プライマリチャネルを検出することを試み得る。
共有ＤＲＳがすべてのチャネルにわたって送信されるときのネイバリングセル測定の場合、ＵＥ１１５−ａは、それがネイバーセルのタイプを知っているので、２０ＭＨｚごとに測定を報告し得る。
【００６１】
[0069]いくつかの例では、（たとえば、適切な測定のために、および進行中のデータ送信における中断を回避するために）ＤＲＳ送信のための一定のＰＳＤを維持するために、送信の電力スケーリングが適切であり得る。
いくつかの場合には、基地局１０５−ａは、送信の帯域幅にかかわらず、中心の６つのＲＢ上で固定ＰＳＤを使用し得る。
たとえば、２３ｄＢｍ送信電力を用いた２０ＭＨｚ送信では、基地局１０５−ａは、中心の６つのＲＢのために１０ｄＢｍ／ＭＨｚを使用し得る。
２３ｄＢｍ送信電力を用いた８０ＭＨｚ送信の場合、平坦なＰＳＤが４ｄＢｍ／ＭＨｚにつながり得るが、電力は中心の６つのＲＢにおいてブーストされ得、１０ｄＢｍ／ＭＨｚは、依然として使用され得る。
その結果、他のＲＢ上の電力は、全体的な２３ｄＢｍ送信電力を満たすために低下され（たとえば、デブーストされ）なければないことがある。
【００６２】
[0070]図３Ａは、本開示の態様による、ｅＣＣ  ＤＲＳをサポートするＤＲＳ構成３０１の一例を示す。
いくつかの場合には、ＤＲＳ構成３０１は、図１〜図２を参照しながら説明されたように、ＵＥ１１５または基地局１０５によって実行される技法の態様を表し得る。
ＤＲＳ構成３０１は、共有ＤＲＳがプライマリチャネルのみのために使用される一例を表し得る。
プライマリチャネルは、ｅＣＣ通信と非ｅＣＣ通信の両方をサポートし得、セカンダリチャネルは、ｅＣＣ  ＵＥのみをサポートし得る。
【００６３】
[0071]いくつかの場合には、ｅＣＣ対応キャリアは、複数の周波数帯域を含み得る。
たとえば、８０ＭＨｚ  ｅＣＣキャリアは、チャネル３０５−ａなど、４つの２０Ｍｈｚチャネルを含み得る。
競合ベーススペクトルにおいて動作するとき、基地局は、各チャネル上で通信するより前にＬＢＴプロシージャ（たとえば、ＣＣＡ）を実行し得る。
いくつかの場合には、１つのＤＭＴＣウィンドウ３３０−ａ中にＬＢＴプロシージャによって先行される複数のＤＲＳ試みがあり得る。
基地局は、不成功のＣＣＡ３１０−ａの後にＤＲＳを送信することを控え得る。
しかしながら、同じチャネル３０５−ａ上の後続のＬＢＴプロシージャの後に、成功したＣＣＡ３１５−ａは、ＤＲＳが送信されることを可能にし得る。
ＤＲＳ期間３２０−ａは、組み合わせられたＤＲＳ送信（たとえば、ｅＣＣ  ＵＥ１１５と非ｅＣＣ  ＵＥ１１５の両方をサポートするＤＲＳ）を含み得る。
例として、ＤＲＳ領域３３５−ａ、ＳＩＢ１  ３４０−ａ、およびｅＣＣ  ＳＩＢ１  ３４５−ａが、各々、ＤＲＳ期間３２０−ａ中で送信され得る。
【００６４】
[0072]いくつかの場合には、共有ＤＲＳ送信がプライマリチャネル上で通信されるとき、別個のｅＣＣ  ＤＲＳ送信がないことがある。
たとえば、ＤＲＳ期間３２０−ａは、ＤＲＳ領域３３５−ａに接する周波数スペクトルの部分における非ｅＣＣ  ＳＩＢ１  ３４０−ａを含み得る。
ＤＲＳ領域３３５−ａは、同期信号ＰＳＳおよびＳＳＳなど、ＤＲＳを含み得る。
ｅＣＣ  ＳＩＢ１  ３４５−ａは、ＤＲＳに続き得、スタンドアロンＳＩメッセージであり得るか、あるいは、先行するＳＩＢ１  ３４０−ａに対する任意の変化または差分を示し得る。
いくつかの場合には、非ｅＣＣ  ＵＥ１１５は、ｅＣＣ  ＳＩＢ１  ３４５−ａを認識しないことがあるが、３３５−ａおよびＳＩＢ１  ３４０−ａなど、ＤＲＳ期間３２０−ａの非ｅＣＣ  ＤＲＳ部分のみを認識し得る。
【００６５】
[0073]上述のように、いくつかの例では、共有ＤＲＳがプライマリチャネル上で送信される場合、たとえば、１５ｋＨｚトーン間隔を用いておよび狭帯域上で動作するＵＥ１１５のセル探索器ブランチが、同期信号を検出し得る。
ＵＥ１１５は、その後、１５ｋＨｚトーン間隔を用いて動作するメインハードウェアブランチを使用して、ＳＩＢ１  ３４０−ａを検出し得る。
その後、メインデータブランチは７５ｋＨｚトーン間隔に切り替わり得、ｅＣＣ収集が行われ得、７５ｋＨｚトーン間隔を用いて動作するメインハードウェアブランチは、チャネル３０５−ａのうちの１つなどのプライマリチャネル上でｅＣＣ  ＳＩＢ１  ３４５−ａを読み取り、帯域幅を決定し得る。
その結果、メインデータブランチはシステム帯域幅まで開き得る。
プライマリチャネル上で共有ＤＲＳを用いたシステム収集の代替例では、１５ｋＨｚトーン間隔を用いておよび狭帯域上で動作するセル探索器ブランチは、ＤＲＳ領域３３５−ａ中の同期信号を探索し得、７５ｋＨｚトーン間隔を用いて動作するメインデータブランチは、ｅＣＣ  ＳＩＢ１  ３４５−ａを読み取り、帯域幅を決定し得る。
その結果、メインデータブランチはシステム帯域幅まで開き得る。
いくつかの場合には、ｅＣＣ  ＵＥ１１５は、初期収集中に、基地局１０５が、非ｅＣＣ対応基地局１０５であるのか、ｅＣＣ対応基地局１０５であるのかを知らないことがある。
これを解決するために、ｅＣＣサービスに関する情報が、ｅＭＩＢ、ＳＩＢ１中で搬送され得るか、あるいは、ＤＲＳ期間３２０−ａ内に他の様式を通してまたはｅＣＣ  ＳＩＢ１  ３４５−ａの成功した復号を通して伝達され得る。
【００６６】
[0074]図３Ｂは、本開示の態様による、ｅＣＣ  ＤＲＳをサポートするＤＲＳ構成３０２の一例を示す。
いくつかの場合には、ＤＲＳ構成３０２は、図１〜図２を参照しながら説明されたように、ＵＥ１１５または基地局１０５によって実行される技法の態様を表し得る。
ＤＲＳ構成３０２は、別個のＤＲＳがすべてのチャネル上で使用される一例を表し得る。
プライマリチャネルは、ｅＣＣ通信と非ｅＣＣ通信の両方をサポートし得、セカンダリチャネルは、ｅＣＣ  ＵＥのみをサポートし得る。
【００６７】
[0075]いくつかの場合には、チャネル３０５−ｂなどのｅＣＣキャリアのすべてのチャネルをカバーする１つのＤＭＴＣウィンドウ３３０−ｂ中に複数のＤＲＳ試みがあり得る。
いくつかの場合には、不成功のＣＣＡ３１０−ｂがＤＲＣの送信を妨げ得る。
しかしながら、チャネル３０５−ｂ上の後続のＬＢＴプロシージャの後に、成功したＣＣＡ３１５−ｂは、ＤＲＳが、対応するチャネル上で送信されることを可能にし得る。
ある場合には、ＤＲＳ期間３２０−ｂおよび／またはｅＣＣ  ＤＲＳ期間３２５−ｂが、成功したＣＣＡ３１５−ｂに続き得る。
【００６８】
[0076]ＤＲＳ期間３２０−ｂは、ＤＲＳ領域３３５−ｂ（たとえば、中心の６つのＲＢ）に接する周波数スペクトルの部分における非ｅＣＣ  ＳＩＢ１  ３４０−ｂを含み得、ここで、ＤＲＳ領域３３５−ｂは、ＤＲＳの送信のために使用され得る。
いくつかの場合には、ｅＣＣ  ＤＲＳ期間３２５−ｂはまた、ｅＣＣ  ＳＩＢ１  ３４５−ｂによって接されるＤＲＳ領域３３５−ｃを含み得る。
いくつかの例では、ｅＣＣ  ＤＲＳ期間３２５−ｂは、ＤＲＳ領域３３５−ｃとｅＣＣ  ＳＩＢ１  ３４５−ｂ領域との間のガードバンド３５０をも含み得る。
【００６９】
[0077]ｅＣＣおよび非ｅＣＣのためのＤＲＳ送信が分離され、すべてのチャネルにわたる、初期収集プロシージャの一例では、ＵＥ１１５のセル探索器ブランチは、任意のチャネル上で同期信号を探索し得、メインデータブランチは、ｅＣＣ  ＤＲＳ送信が存在するチャネル上でｅＣＣ  ＳＩＢ１  ３４５−ｂを読み取り、帯域幅を決定し得る。
メインデータブランチは、次いで、システム帯域幅まで開き得る。
【００７０】
[0078]図３Ｃは、本開示の態様による、ｅＣＣ  ＤＲＳをサポートするＤＲＳ構成３０３の一例を示す。
いくつかの場合には、ＤＲＳ構成３０３は、図１〜図２を参照しながら説明されたように、ＵＥ１１５または基地局１０５によって実行される技法の態様を表し得る。
ＤＲＳ構成３０３は、共有ＤＲＳがすべてのチャネル上で使用される一例を表し得る。
プライマリチャネルは、ｅＣＣ通信と非ｅＣＣ通信の両方をサポートし得、セカンダリチャネルは、ｅＣＣ  ＵＥのみをサポートし得る。
【００７１】
[0079]ＤＲＳ構成３０３では、チャネル３０５−ｃなどのすべてのチャネルにわたって送信される１つのＤＭＴＣウィンドウ３３０−ｃ中に複数のＤＲＳ試みがあり得る。
いくつかの場合には、不成功のＣＣＡ３１０−ｃが、各チャネル上でのＤＲＳの送信を妨げ得る。
しかしながら、チャネル３０５−ｃ上の後続のＬＢＴプロシージャ中に、成功したＣＣＡ３１５−ｃは、ＤＲＳが、対応するチャネル上で送信されることを可能にし得る。
ＤＲＳ期間３２０−ｃまたはｅＣＣ  ＤＲＳ期間３２５−ｃが、成功したＣＣＡ  ３１５−ｃに続き得る。
いくつかの例では、ＤＲＳ期間３２０−ｃ、または別個のｅＣＣ  ＤＲＳ期間３２５−ｃが、各チャネル上に存在し得る。
【００７２】
[0080]いくつかの例では、ＤＲＳ期間３２０−ｃは、後続のｅＣＣ  ＳＩＢ１  ３４５−ｃとともに、ＤＲＳ領域３３５−ｄと、ＤＲＳ領域３３５−ｄに接する周波数スペクトルを占有するＳＩＢ１  ３４０−ｃとを含み得る。
ｅＣＣ  ＤＲＳ期間３２５−ｃは、データ３５５によって接されるＤＲＳ領域３３５−ｅを含み得る。
いくつかの例では、ｅＣＣ  ＤＲＳ期間３２５−ｃは、ＤＲＳ領域３３５−ｅとデータ３５５の領域との間のガードバンド３６０をも含み得る。
【００７３】
[0081]図４は、本開示の様々な態様による、ｅＣＣ  ＤＲＳをサポートするシステムにおけるプロセスフロー４００の一例を示す。
プロセスフロー４００は、図１〜図２を参照しながら説明された対応するデバイスの例であり得る、基地局１０５−ｂとＵＥ１１５−ｂとを含み得る。
プロセスフロー４００は、第１のＯＦＤＭシンボル持続時間およびトーン間隔を用いて通信することが可能なデバイスの第１のセットと、第２のＯＦＤＭシンボル持続時間およびトーン間隔を用いた通信をサポートするデバイスの第２のセットとをサポートするシステムにおけるＤＲＳの送信のための技法を表し得る。
【００７４】
[0082]いくつかの場合には、デバイスの第２のセットは、第１のＯＦＤＭシンボル持続時間およびトーン間隔をも使用して通信することが可能であり得る。
いくつかの場合には、プロセスフロー４００は、複数のチャネルをもつキャリアに基づき得る。
プライマリチャネルと呼ばれることがあるいくつかのチャネルは、基地局１０５−ｂとデバイスの両方のセットとの間の通信をサポートし得る。
非プライマリチャネルまたはセカンダリチャネルと呼ばれることがある他のチャネルは、デバイスの第２のセットとの通信をサポートし得る。
【００７５】
[0083]ステップ４０５において、基地局１０５−ｂは、通信のためにチャネルをクリアするためにＣＣＡを実行し得る。
いくつかの場合には、基地局１０５−ｂは、プライマリチャネル上での複数のＣＣＡ試みが送信ウィンドウ中に不成功だったと決定し、送信ウィンドウ中にＤＲＳを送信することを控え得る。
いくつかの場合には、基地局１０５−ｂは、キャリアのプライマリチャネル上での少なくとも１つの第１のＣＣＡ試みが不成功だったと決定し、キャリアの非プライマリチャネル上での第２のＣＣＡ試みが成功したと決定し、少なくとも１つの第１のＣＣＡ試みが不成功だったという決定と第２のＣＣＡ試みが成功したという決定とに基づいて、非プライマリチャネル上で１つまたは複数のＤＲＳを送信し得る。
非プライマリチャネルはキャリアの狭帯域領域を含み得る。
【００７６】
[0084]いくつかの場合には、ＵＥ１１５−ｂは、チャネルを、基地局１０５−ｂによって送信された、ＤＲＳなど、１つまたは複数の信号についてモニタし得る。
たとえば、基地局１０５−ｂは、１つまたは複数のＤＲＳのロケーション（たとえば、キャリアの狭帯域領域）を決定し、リソースのセット（たとえば、第１のＯＦＤＭシンボル期間内のリソース、第１のトーン間隔を有するリソースなど）にＤＲＳをマッピングし得る。
基地局１０５−ｂは、次いで、ステップ４１０において、ＵＥ１０５−ｂに１つまたは複数のＤＲＳを送信し得る。
ＵＥ１１５−ｂは、それに応じて、モニタに基づいて１つまたは複数のＤＲＳの存在を認識し得、ステップ４１０において基地局１０５−ａから送信されたＤＲＳを受信し得る。
したがって、ＵＥ１１５−ｂおよび基地局１０５−ｂは、キャリアの狭帯域領域中のＤＲＳを識別し得、ＤＲＳは、第１のＯＦＤＭシンボル持続時間と第１のトーン間隔とを使用し得る。
いくつかの例では、ＤＲＳは、ＰＳＳ、ＳＳＳ、ＭＩＢ、ＣＲＳ、ＣＳＩ−ＲＳ、他の信号または送信、あるいはそれらの組合せを含む。
【００７７】
[0085]いくつかの例では、基地局１０５−ｂは、キャリアの第２の領域など、ＵＥ１１５−ｂと通信するための持続時間を決定し得る。
基地局１０５−ｂは、次いで、通信のためにキャリアの第２の領域内のリソースを識別し、割り振り得る。
そのような場合、ＵＥ１１５−ｂは、通信するためのキャリアの領域をモニタし、キャリアの第２の領域内の割り振られた通信リソースを認識し得る。
したがって、基地局１０５−ｂおよびＵＥ１１５−ｂは、キャリアの第２の領域を識別し得、ここで、第２の領域は、第２のＯＦＤＭシンボル持続時間と第２のトーン間隔とをサポートし得る。
【００７８】
[0086]いくつかの場合には、キャリアの狭帯域領域中のＤＲＳは、第１のＯＦＤＭシンボル持続時間と第１のトーン間隔とに従って動作する第１の受信機（たとえば、セル探索器ブランチ）を使用して識別される。
キャリアの第２の領域中の通信は、第２のＯＦＤＭシンボル持続時間と第２のトーン間隔とに従って動作する第２の受信機（たとえば、メインハードウェアブランチ）を使用し得る。
いくつかの場合には、ＵＥ１１５−ｂは、第１の受信機を使用してセル探索または測定プロシージャを実行し得、ＤＲＳは、セル探索または測定プロシージャに基づいて識別され得る。
【００７９】
[0087]いくつかの場合には、ステップ４１５において、基地局１０５−ｂは非ｅＣＣ  ＳＩＢ１を送信し得、ＵＥ１１５−ｂはそれを受信し得る。
たとえば、基地局１０５−ｂは、第１のＯＦＤＭシンボル持続時間と第１のトーン間隔とを使用して、第１の時間期間中にＤＲＳと第１のＳＩメッセージとを送信し得る。
いくつかの場合には、第２のＳＩメッセージは、第１のＳＩメッセージに対する差分を備える。
【００８０】
[0088]ステップ４２０において、基地局１０５−ｂはｅＣＣ  ＳＩＢ１を送信し得、ＵＥ１１５−ｂはそれを受信し得る。
すなわち、基地局１０５−ｂは、第２のＯＦＤＭシンボル持続時間と第２のトーン間隔とを使用して、第２の時間期間中に第２のＳＩメッセージを送信し得る。
いくつかの場合には、基地局１０５−ｂは、第１の時間期間中にキャリアの第１のチャネル中でＤＲＳと第１のＳＩメッセージとを送信することと、第１のチャネルが、デバイスの第１のセットとデバイスの第２のセットの両方との通信をサポートし得る、第２の時間期間中にキャリアの、第１のチャネルまたは第２のチャネル、あるいは第１のチャネルと第２のチャネルの両方中で追加のＤＲＳと第２のＳＩメッセージとを送信することと、第２のチャネルが、デバイスの第２のセットとの通信をサポートし得る、を行い得る。
いくつかの場合には、追加のＤＲＳおよびＳＩメッセージも第１のチャネル中で送信され得る。
いくつかの場合には、第１のチャネルはキャリアのプライマリチャネルであり得る。
すなわち、第１のチャネルは、デバイスの第１のセットとデバイスの第２のセットの両方をサポートし得る。
【００８１】
[0089]ステップ４２５において、基地局１０５−ｂおよびＵＥ１１５−ｂは、ｅＣＣを使用してデータを送信および受信し得る。
たとえば、基地局１０５−ｂとＵＥ１１５−ｂとは、第２のＯＦＤＭシンボル持続時間と第２のトーン間隔とを使用してキャリアの第２の領域中で通信し得る。
いくつかの場合には、基地局１０５−ｂは、ＵＥ１１５−ｂから測定報告を受信し、測定報告に基づいて、ネイバー基地局１０５が、第２のＯＦＤＭシンボル持続時間と第２のトーン間隔とを使用する通信をサポートすること、または、第２のＯＦＤＭシンボル持続時間および第２のトーン間隔が、ネイバー基地局によってサポートされないこと、を決定し得る。
いくつかの場合には、測定報告は、ネイバー基地局１０５によって使用されるＤＲＳを有する各チャネルについての情報を備える。
【００８２】
[0090]いくつかの場合には、基地局１０５−ｂはまた、測定報告に基づいて、ネイバー基地局によって使用されるシステム帯域幅のチャネルの数を決定し得る。
たとえば、基地局１０５−ｂは、ネイバー基地局のシステム帯域幅が単一のチャネルまたは複数のチャネルを含んでいると決定し得る。
いくつかの場合には、測定は、ＤＲＳを含んでいる各チャネル上で（たとえば、キャリアの各２０ＭＨｚチャネル上で）実行され、測定報告は、ネイバー基地局によって使用されるＤＲＳを含む各チャネルについての情報を含み得る。
【００８３】
[0091]図５は、本開示の様々な態様による、ｅＣＣ  ＤＲＳをサポートするワイヤレスデバイス５００のブロック図を示す。
ワイヤレスデバイス５００は、図１および図２を参照しながら説明されたＵＥ１１５または基地局１０５の態様の一例であり得る。
ワイヤレスデバイス５００は、受信機５０５と、ｅＣＣ  ＤＲＳモジュール５１０と、送信機５１５とを含み得る。
ワイヤレスデバイス５００はプロセッサをも含み得る。
これらの構成要素の各々は互いと通信していることがある。
【００８４】
[0092]受信機５０５は、パケット、ユーザデータ、または様々な情報チャネルに関連する制御情報（たとえば、制御チャネル、データチャネル、およびｅＣＣ  ＤＲＳに関係する情報など）などの情報を受信し得る。
情報は、デバイスの他の構成要素に受け渡され得る。
受信機５０５は、図８を参照しながら説明されるトランシーバ８２５または図９を参照しながら説明されるトランシーバ９２５の態様の一例であり得る。
【００８５】
[0093]ｅＣＣ  ＤＲＳモジュール５１０は、キャリアの狭帯域領域中のＤＲＳ（たとえば、１つまたは複数のＤＲＳ）を識別し得る。
いくつかの場合には、第２の領域（たとえば、ｅＣＣデータがそれ中で送信される領域）が、ｅＣＣ送信を検出するＵＥによって識別される。
ＤＲＳは、第１のＯＦＤＭシンボル持続時間と第１のトーン間隔とを使用し得、第２の領域は、第２のＯＦＤＭシンボル持続時間と第２のトーン間隔とをサポートし得る。
受信機または送信機と組み合わせて、ｅＣＣ  ＤＲＳモジュール５１０は、たとえば、第２のＯＦＤＭシンボル持続時間と第２のトーン間隔とを使用してキャリアの第２の領域中で通信し得る。
ｅＣＣ  ＤＲＳモジュール５１０はまた、図８を参照しながら説明されるｅＣＣ  ＤＲＳモジュール８０５または図９を参照しながら説明されるｅＣＣ  ＤＲＳモジュール９０５の態様の一例であり得る。
【００８６】
[0094]送信機５１５は、ワイヤレスデバイス５００の他の構成要素から受信された信号を送信し得る。
いくつかの例では、送信機５１５は、トランシーバモジュール中で受信機とコロケートされ得る。
たとえば、送信機５１５は、図８を参照しながら説明されるトランシーバ８２５または図９を参照しながら説明されるトランシーバ９２５の態様の一例であり得る。
送信機５１５は単一のアンテナを含み得るか、またはそれは複数のアンテナを含み得る。
【００８７】
[0095]図６は、本開示の様々な態様による、ｅＣＣ  ＤＲＳをサポートするワイヤレスデバイス６００のブロック図を示す。
ワイヤレスデバイス６００は、図１、図２および図５を参照しながら説明されたワイヤレスデバイス５００またはＵＥ１１５または基地局１０５の態様の一例であり得る。
ワイヤレスデバイス６００は、受信機６０５と、ｅＣＣ  ＤＲＳモジュール６１０と、送信機６３０とを含み得る。
ワイヤレスデバイス６００はプロセッサをも含み得る。
これらの構成要素の各々は互いと通信していることがある。
【００８８】
[0096]受信機６０５は、デバイスの他の構成要素に受け渡され得る情報を受信し得る。
受信機６０５はまた、図５の受信機５０５に関して説明された機能を実行し得る。
受信機６０５は、図８を参照しながら説明されるトランシーバ８２５または図９を参照しながら説明されるトランシーバ９２５の態様の一例であり得る。
受信機６０５はまた、セル探索器ブランチ６０７およびメインデータブランチ６０９など、複数の受信機ブランチを含むかまたは表し得る。
本明細書で説明されるように、セル探索器ブランチ６０７は、第１のトーン間隔（たとえば、狭帯域上の１５ｋＨｚトーン間隔）を用いて動作し（すなわち、それを使用してモニタおよび動作し）得、メインデータブランチ６０９は、第２のトーン間隔（たとえば、広帯域上の７５ｋＨｚトーン間隔）を用いて動作し（すなわち、それを使用してモニタおよび動作し）得る。
【００８９】
[0097]ｅＣＣ  ＤＲＳモジュール６１０は、図５を参照しながら説明されたｅＣＣ  ＤＲＳモジュール５１０の態様の一例であり得る。
ｅＣＣ  ＤＲＳモジュール６１０は、ＤＲＳ識別構成要素６１５とｅＣＣ領域通信構成要素６２５とを含み得る。
ｅＣＣ  ＤＲＳモジュール６１０は、図８を参照しながら説明されるｅＣＣ  ＤＲＳモジュール８０５または図９を参照しながら説明されるｅＣＣ  ＤＲＳモジュール９０５の態様の一例であり得る。
【００９０】
[0098]ＤＲＳ識別構成要素６１５は、キャリアの狭帯域領域中のＤＲＳを識別し得る。
ＤＲＳは、第１のＯＦＤＭシンボル持続時間と第１のトーン間隔とを使用し得る。
いくつかの場合には、ＤＲＳは、ＰＳＳ、ＳＳＳ、ＭＩＢ、ＣＲＳ、ＣＳＩ−ＲＳ、またはこれらの信号の何らかの組合せを含む。
いくつかの場合には、ＤＲＳは、デバイスの第１のセットとデバイスの第２のセットとに宛てられる。
キャリアの狭帯域領域は、たとえば、キャリアのチャネルの６つまたは８つの中心のＲＢを含み得る。
いくつかの場合には、狭帯域領域は、狭帯域領域が第２の領域と周波数分割多重されたとき、第１のガードバンドと第２のガードバンドとによって画定される。
【００９１】
[0099]いくつかの場合には、第２の領域が、第２のＯＦＤＭシンボル持続時間と第２のトーン間隔とをサポートし得る。
いくつかの場合には、第１のＯＦＤＭシンボル持続時間は、第２のＯＦＤＭシンボル持続時間よりも大きく、第１のトーン間隔は、第２のトーン間隔よりも小さい。
いくつかの場合には、キャリアの狭帯域領域中のＤＲＳは、第１のＯＦＤＭシンボル持続時間と第１のトーン間隔とに従って動作する第１の受信機を使用して識別され得、キャリアの第２の領域中の通信は、第２のＯＦＤＭシンボル持続時間と第２のトーン間隔とに従って動作する第２の受信機を使用し得る。
ｅＣＣ領域通信構成要素６２５は、第２のＯＦＤＭシンボル持続時間と第２のトーン間隔とを使用してキャリアの第２の領域中で通信し得る。
【００９２】
[0100]送信機６３０は、ワイヤレスデバイス６００の他の構成要素から受信された信号を送信し得る。
いくつかの例では、送信機６３０は、トランシーバモジュール中で受信機とコロケートされ得る。
たとえば、送信機６３０は、図８を参照しながら説明されるトランシーバ８２５または図９を参照しながら説明されるトランシーバ９２５の態様の一例であり得る。
送信機６３０は、単一のアンテナを利用し得るか、またはそれは複数のアンテナを利用し得る。
【００９３】
[0101]図７は、本開示の態様による、ＵＥ１１５または基地局１０５の態様を表し得る、ワイヤレスデバイス５００またはワイヤレスデバイス６００の対応する構成要素の一例であり得る、ｅＣＣ  ＤＲＳモジュール７００のブロック図を示す。
すなわち、ｅＣＣ  ＤＲＳモジュール７００は、図５および６を参照しながら説明されたｅＣＣ  ＤＲＳモジュール５１０またはｅＣＣ  ＤＲＳモジュール６１０の態様の一例であり得る。
ｅＣＣ  ＤＲＳモジュール７００はまた、図８を参照しながら説明されるｅＣＣ  ＤＲＳモジュール８０５または図９を参照しながら説明されるｅＣＣ  ＤＲＳモジュール９０５の態様の一例であり得る。
【００９４】
[0102]ｅＣＣ  ＤＲＳモジュール７００は、ＤＲＳ識別構成要素７０５と、ｅＣＣ領域識別構成要素７１０と、ｅＣＣ領域通信構成要素７１５と、セル探索構成要素７２０と、ＤＲＳ構成要素７２５と、システム情報構成要素７３０と、測定報告構成要素７３５と、ネイバーサポート決定構成要素７４０と、ＣＣＡ構成要素７４５と、プライマリチャネル決定構成要素７５０と、送信電力レベル構成要素７５５と、帯域幅識別構成要素７６０とを含み得る。
これらのモジュールの各々は、直接または間接的に、（たとえば、１つまたは複数のバスを介して）互いと通信し得る。
いくつかの場合には、ｅＣＣ  ＤＲＳモジュール７００は、説明される構成要素のうちのいくつかを含み得るが、他の構成要素を除外し得る。
【００９５】
[0103]ＤＲＳ識別構成要素７０５は、キャリアの狭帯域領域中のＤＲＳを識別し得、ＤＲＳは、第１のＯＦＤＭシンボル持続時間と第１のトーン間隔とを使用し得る。
ＤＲＳ識別構成要素７０５は、上記で説明された、ワイヤレスデバイスのセル探索器ブランチの一部であり得る。
いくつかの場合には、ＤＲＳは、ＰＳＳ、ＳＳＳ、ＭＩＢ、ＣＲＳ、ＣＳＩ−ＲＳなどを含む。
いくつかの場合には、ＤＲＳは、デバイスの第１のセットとデバイスの第２のセットとに宛てられる。
【００９６】
[0104]いくつかの場合には、第２のＯＦＤＭシンボル持続時間および第２のトーン間隔。
ｅＣＣ領域識別構成要素７１０は、上記で説明された、ワイヤレスデバイスのメインデータブランチの一部であり得る。
いくつかの場合には、第１のＯＦＤＭシンボル持続時間は、第２のＯＦＤＭシンボル持続時間よりも大きく、第１のトーン間隔は、第２のトーン間隔よりも小さい。
いくつかの場合には、キャリアの狭帯域領域中のＤＲＳは、第１のＯＦＤＭシンボル持続時間と第１のトーン間隔とに従って動作する第１の受信機を使用して識別される。
キャリアの第２の領域中の通信は、第２のＯＦＤＭシンボル持続時間と第２のトーン間隔とに従って動作する第２の受信機を使用し得る。
ｅＣＣ領域通信構成要素７１５は、第２のＯＦＤＭシンボル持続時間と第２のトーン間隔とを使用してキャリアの第２の領域中で通信し得る。
セル探索構成要素７２０は、第１の受信機を使用してセル探索または測定プロシージャを実行し得、ＤＲＳは、セル探索または測定プロシージャに基づいて識別され得る。
【００９７】
[0105]ＤＲＳ構成要素７２５は、図５および図６を参照しながら説明された送信機５１５または６３０など、ワイヤレス通信デバイスの他の構成要素またはモジュールと組み合わせて様々な動作を実行し得る。
ＤＲＳ構成要素７２５は、第１の時間期間中にキャリアの第１のチャネル中でＤＲＳと第１のＳＩメッセージとを送信し、第２の時間期間中にキャリアの、第１のチャネルまたは第２のチャネル、あるいはその両方中で追加のＤＲＳと第２のＳＩメッセージとを送信し得る。
第１のチャネルは、デバイスの第１のセットとデバイスの第２のセットの両方との通信をサポートし得、第２のチャネルは、デバイスの第２のセットとの通信をサポートし得る。
ＤＲＳ構成要素７２５は、たとえば、第１のＣＣＡ試みが成功しなかったという決定と第２のＣＣＡ試みが成功したという決定とに基づいて、非プライマリチャネル上でＤＲＳを送信し得る。
非プライマリチャネルはキャリアの狭帯域領域を含み得る。
ＤＲＳ構成要素７２５はまた、キャリアの非プライマリチャネル中でＤＲＳを送信し得る。
ＤＲＳ構成要素７２５は、いくつかの場合には、第１のＯＦＤＭシンボル持続時間と第１のトーン間隔とを使用して、第１の時間期間中にＤＲＳと第１のＳＩメッセージとを送信し得る。
【００９８】
[0106]いくつかの場合には、ワイヤレスデバイス（たとえば、ＵＥ１１５または基地局１０５）の様々な動作に従って、ＤＲＳ、第１のＳＩメッセージ、および第２のＳＩメッセージは、デバイスの第１のセットおよびデバイスの第２のセットとの通信をサポートする第１のチャネル上で送信される。
いくつかの場合には、ＤＲＳは、第１のＯＦＤＭシンボル持続時間と第１のトーン間隔とを使用する通信が、狭帯域領域を備えるチャネルによってサポートされるかどうかのインジケーションを含む。
【００９９】
[0107]システム情報構成要素７３０は、送信機５１５または６３０と組み合わせて、第２のＯＦＤＭシンボル持続時間と第２のトーン間隔とを使用して、第２の時間期間中に第２のＳＩメッセージを送信し得る。
いくつかの場合には、第２のＳＩメッセージは、第１のＳＩメッセージに対する差分を含む。
測定報告構成要素７３５は、図６を参照しながら説明された受信機６０５と組み合わせて、ユーザ機器から測定報告を受信し得る。
【０１００】
[0108]ネイバーサポート決定構成要素７４０は、測定報告に基づいて、ネイバー基地局のためのシステム帯域幅チャネルの数を、ネイバー基地局が、第２のＯＦＤＭシンボル持続時間と第２のトーン間隔とを使用する通信をサポートすることを、または、第２のＯＦＤＭシンボル持続時間および第２のトーン間隔が、ネイバー基地局によってサポートされないことを、決定し得る。
いくつかの例では、ネイバーサポート決定構成要素７４０は、受信された測定報告に基づいて、ネイバー基地局によって使用されるシステム帯域幅のチャネルの数を決定し得る。
測定報告は、ネイバー基地局によって使用されるＤＲＳを含む各チャネルについての情報を含み得る。
【０１０１】
[0109]ＣＣＡ構成要素７４５は、プライマリチャネル上での複数のＣＣＡ試みが送信ウィンドウ中に不成功だったと決定し、送信ウィンドウ中にＤＲＳを送信することを控え、キャリアのプライマリチャネル上での第１のＣＣＡ試みが不成功だったと決定し、キャリアの非プライマリチャネル上での第２のＣＣＡが成功したと決定し得る。
【０１０２】
[0110]プライマリチャネル決定構成要素７５０は、ＤＲＳ、ＳＩメッセージ、ＤＲＳ間の位相シフト、またはＳＩメッセージの成功した復号試みに基づいて、チャネルが、第１のＯＦＤＭシンボル持続時間と第１のトーン間隔とを使用する通信をサポートするかどうかを決定し得る。
【０１０３】
[0111]送信電力レベル構成要素７５５は、１つまたは複数のＤＲＳのための第１の送信電力レベルを識別し、１つまたは複数のＤＲＳのための第１の送信電力レベルと、キャリアのための総送信電力と、キャリアの帯域幅とに基づいて、キャリアのための第２の送信電力レベルを調整し得る。
第１の送信電力レベルは、たとえば、ＤＲＳを送信するために使用される帯域幅に依存しないことがある。
帯域幅識別構成要素７６０は、キャリアの帯域幅を識別し得る。
【０１０４】
[0112]図８は、本開示の様々な態様による、ｅＣＣ  ＤＲＳをサポートするデバイスを含むワイヤレス通信システム８００の図を示す。
たとえば、ワイヤレス通信システム８００は、図１、図２および図５〜図７を参照しながら説明されたように、ワイヤレスデバイス５００、ワイヤレスデバイス６００、またはＵＥ１１５の一例であり得る、ＵＥ１１５−ｃを含み得る。
【０１０５】
[0113]ＵＥ１１５−ｃは、ｅＣＣ  ＤＲＳモジュール８０５と、プロセッサ８１０と、メモリ８１５と、トランシーバ８２５と、アンテナ８３０と、ｅＣＣモジュール８３５とをも含み得る。
これらのモジュールの各々は、直接または間接的に、（たとえば、１つまたは複数のバスを介して）互いと通信し得る。
ｅＣＣ  ＤＲＳモジュール８０５は、図５〜図７を参照しながら説明されたように、ｅＣＣ  ＤＲＳモジュールの一例であり得る。
【０１０６】
[0114]プロセッサ８１０は、インテリジェントハードウェアデバイス、（たとえば、中央処理ユニット（ＣＰＵ）、マイクロコントローラ、特定用途向け集積回路（ＡＳＩＣ）など）を含み得る。
メモリ８１５は、ランダムアクセスメモリ（ＲＡＭ）および読取り専用メモリ（ＲＯＭ）を含み得る。
メモリ８１５は、実行されたとき、プロセッサ、およびしたがってＵＥ１１５−ｃに本明細書で説明される様々な機能（たとえば、ｅＣＣ  ＤＲＳなど）を実行させる命令を含むコンピュータ可読、コンピュータ実行可能ソフトウェアを記憶し得る。
いくつかの場合には、ソフトウェア８２０は、プロセッサによって直接的に実行可能でないことがあるが、（たとえば、コンパイルされ実行されたとき）コンピュータに本明細書で説明される機能を実行させ得る。
【０１０７】
[0115]トランシーバ８２５は、上記で説明されたように、１つまたは複数のアンテナ、ワイヤードリンク、またはワイヤレスリンクを介して、１つまたは複数のネットワークと双方向に通信し得る。
たとえば、トランシーバ８２５は、基地局１０５またはＵＥ１１５と双方向に通信し得る。
トランシーバ８２５はまた、パケットを変調し、変調されたパケットを送信のためにアンテナに与えるための、およびアンテナから受信されたパケットを復調するためのモデムを含み得る。
いくつかの場合には、ワイヤレスデバイスは単一のアンテナ８３０を含み得る。
しかしながら、いくつかの場合には、デバイスは、複数のワイヤレス送信をコンカレントに送信または受信することが可能であり得る２つ以上のアンテナ８３０を有し得る。
トランシーバ８２５は、本明細書で説明されるように、並列ブランチ（たとえば、セル探索ブランチおよびメインデータブランチ）を含み得る。
【０１０８】
[0116]ｅＣＣモジュール８３５は、共有または無認可スペクトルを使用する通信、低減ＴＴＩまたはサブフレーム持続時間を使用する通信、あるいは多数のコンポーネントキャリア（ＣＣ）を使用する通信など、ｅＣＣを使用する動作を可能にし得る。
【０１０９】
[0117]図９は、本開示の様々な態様による、ｅＣＣ  ＤＲＳをサポートするデバイスを含むワイヤレスシステム９００の図を示す。
たとえば、ワイヤレスシステム９００は、図１、図２および図５〜図７を参照しながら説明されたように、ワイヤレスデバイス５００、ワイヤレスデバイス６００、または基地局１０５の一例であり得る、基地局１０５−ｄを含み得る。
基地局１０５−ｄは、通信を送信するための構成要素と通信を受信するための構成要素とを含む、双方向音声およびデータ通信のための構成要素をも含み得る。
たとえば、基地局１０５−ｄは、１つまたは複数のＵＥ１１５と双方向に通信し得る。
【０１１０】
[0118]基地局１０５−ｄは、ｅＣＣ  ＤＲＳモジュール９０５と、プロセッサ９１０と、メモリ９１５と、トランシーバ９２５と、アンテナ９３０と、基地局通信モジュール９３５と、ネットワーク通信モジュール９４０とをも含み得る。
これらのモジュールの各々は、直接または間接的に、（たとえば、１つまたは複数のバスを介して）互いと通信し得る。
ｅＣＣ  ＤＲＳモジュール９０５は、図５〜図７を参照しながら説明されたように、ｅＣＣ  ＤＲＳモジュールの一例であり得る。
【０１１１】
[0119]プロセッサ９１０は、インテリジェントハードウェアデバイス、（たとえば、ＣＰＵ、マイクロコントローラ、ＡＳＩＣなど）を含み得る。
メモリ９１５はＲＡＭおよびＲＯＭを含み得る。
メモリ９１５は、実行されたとき、プロセッサ、およびしたがって基地局１０５−ｄに本明細書で説明される様々な機能（たとえば、ｅＣＣ  ＤＲＳなど）を実行させる命令を含むコンピュータ可読、コンピュータ実行可能ソフトウェアを記憶し得る。
いくつかの場合には、ソフトウェア９２０は、プロセッサによって直接的に実行可能でないことがあるが、（たとえば、コンパイルされ実行されたとき）コンピュータに本明細書で説明される機能を実行させ得る。
【０１１２】
[0120]トランシーバ９２５は、上記で説明されたように、１つまたは複数のアンテナ、ワイヤードリンク、またはワイヤレスリンクを介して、１つまたは複数のネットワークと双方向に通信し得る。
たとえば、トランシーバ９２５は、基地局１０５またはＵＥ１１５と双方向に通信し得る。
トランシーバ９２５はまた、パケットを変調し、変調されたパケットを送信のためにアンテナに与えるための、およびアンテナから受信されたパケットを復調するためのモデムを含み得る。
いくつかの場合には、ワイヤレスデバイスは単一のアンテナ９３０を含み得る。
しかしながら、いくつかの場合には、デバイスは、複数のワイヤレス送信をコンカレントに送信または受信することが可能であり得る２つ以上のアンテナ９３０を有し得る。
【０１１３】
[0121]基地局通信モジュール９３５は、他の基地局１０５との通信を管理し得、他の基地局１０５と協働してＵＥ１１５との通信を制御するためのコントローラまたはスケジューラを含み得る。
たとえば、基地局通信モジュール９３５は、ビームフォーミングまたはジョイント送信などの様々な干渉緩和技法のためのＵＥ１１５への送信のためのスケジューリングを協調させ得る。
いくつかの例では、基地局通信モジュール９３５は、基地局１０５間の通信を行うために、ＬＴＥ／ＬＴＥ−Ａワイヤレス通信ネットワーク技術内のＸ２インターフェースを与え得る。
【０１１４】
[0122]ネットワーク通信モジュール９４０は、（たとえば、１つまたは複数のワイヤードバックホールリンクを介して）コアネットワークとの通信を管理し得る。
たとえば、ネットワーク通信モジュール９４０は、１つまたは複数のＵＥ１１５など、クライアントデバイスのためのデータ通信の転送を管理し得る。
【０１１５】
[0123]図１０は、本開示の様々な態様による、ｅＣＣ  ＤＲＳのための方法１０００を示すフローチャートを示す。
方法１０００の動作は、図１および図２を参照しながら説明されたように、ＵＥ１１５または基地局１０５あるいはそれの構成要素によって実装され得る。
たとえば、方法１０００の動作は、本明細書で説明されるように、ｅＣＣ  ＤＲＳモジュールによって実行され得る。
いくつかの例では、ＵＥ１１５または基地局１０５は、以下で説明される機能を実行するようにデバイスの機能要素を制御するためのコードのセットを実行し得る。
追加または代替として、ＵＥ１１５または基地局１０５は、専用ハードウェアを使用して、以下で説明される機能態様を実行し得る。
【０１１６】
[0124]ブロック１００５において、ＵＥ１１５または基地局１０５は、図２〜図４を参照しながら上記で説明されたように、キャリアの狭帯域領域中の１つまたは複数のＤＲＳを識別し、ここで、１つまたは複数のＤＲＳは、第１のＯＦＤＭシンボル持続時間と第１のトーン間隔とを使用する。
いくつかの例では、ブロック１００５の動作は、図７を参照しながら説明されたように、ＤＲＳ識別構成要素によって実行され得る。
【０１１７】
[0125]ブロック１０１０において、ＵＥ１１５または基地局１０５は、図２〜図４を参照しながら上記で説明されたように、キャリアの第２の領域を識別し、ここで、第２の領域は、第２のＯＦＤＭシンボル持続時間と第２のトーン間隔とをサポートする。
いくつかの例では、ブロック１０１０の動作は、図６を参照しながら説明されたように、ｅＣＣ  ＤＲＳモジュールによって実行され得る。
【０１１８】
[0126]ブロック１０１５において、ＵＥ１１５または基地局１０５は、図２〜図４を参照しながら上記で説明されたように、第２のＯＦＤＭシンボル持続時間と第２のトーン間隔とを使用して通信する。
この通信は、たとえば、キャリアの第２の領域中にあり得る。
いくつかの例では、ブロック１０１５の動作は、図７を参照しながら説明されたように、ｅＣＣ領域通信構成要素によって実行され得る。
【０１１９】
[0127]図１１は、本開示の様々な態様による、ｅＣＣ  ＤＲＳのための方法１１００を示すフローチャートを示す。
方法１１００の動作は、図１および図２を参照しながら説明されたように、ＵＥ１１５または基地局１０５あるいはそれの構成要素によって実装され得る。
たとえば、方法１１００の動作は、本明細書で説明されるように、ｅＣＣ  ＤＲＳモジュールによって実行され得る。
いくつかの例では、ＵＥ１１５または基地局１０５は、以下で説明される機能を実行するようにデバイスの機能要素を制御するためのコードのセットを実行し得る。
追加または代替として、ＵＥ１１５または基地局１０５は、専用ハードウェアを使用して、以下で説明される機能態様を実行し得る。
【０１２０】
[0128]ブロック１１０５において、ＵＥ１１５または基地局１０５は、図２〜図４を参照しながら上記で説明されたように、キャリアの狭帯域領域中の１つまたは複数のＤＲＳを識別し、ここで、１つまたは複数のＤＲＳは、第１のＯＦＤＭシンボル持続時間と第１のトーン間隔とを使用する。
いくつかの例では、ブロック１１０５の動作は、図７を参照しながら説明されたように、ＤＲＳ識別構成要素によって実行され得る。
【０１２１】
[0129]ブロック１１１０において、ＵＥ１１５または基地局１０５は、図２〜図４を参照しながら上記で説明されたように、キャリアの第２の領域を識別し、ここで、第２の領域は、第２のＯＦＤＭシンボル持続時間と第２のトーン間隔とをサポートする。
いくつかの例では、ブロック１１１０の動作は、図６を参照しながら説明されたように、ｅＣＣ  ＤＲＳモジュールによって実行され得る。
【０１２２】
[0130]ブロック１１１５において、ＵＥ１１５または基地局１０５は、図２〜図４を参照しながら上記で説明されたように、第１のＯＦＤＭシンボル持続時間と第１のトーン間隔とを使用して、第１の時間期間中に１つまたは複数のＤＲＳと第１のＳＩメッセージとを送信する。
いくつかの例では、ブロック１１１５の動作は、図７を参照しながら説明されたように、ＤＲＳ構成要素によって実行され得る。
【０１２３】
[0131]ブロック１１２０において、ＵＥ１１５または基地局１０５は、図２〜図４を参照しながら上記で説明されたように、第２のＯＦＤＭシンボル持続時間と第２のトーン間隔とを使用して、第２の時間期間中に第２のＳＩメッセージを送信する。
いくつかの例では、ブロック１１２０の動作は、図７を参照しながら説明されたように、システム情報構成要素によって実行され得る。
【０１２４】
[0132]ブロック１１２５において、ＵＥ１１５または基地局１０５は、図２〜図４を参照しながら上記で説明されたように、第２のＯＦＤＭシンボル持続時間と第２のトーン間隔とを使用して、キャリアの第２の領域中で通信する。
いくつかの例では、ブロック１１２５の動作は、図７を参照しながら説明されたように、ｅＣＣ領域通信構成要素によって実行され得る。
【０１２５】
[0133]図１２は、本開示の様々な態様による、ｅＣＣ  ＤＲＳのための方法１２００を示すフローチャートを示す。
方法１２００の動作は、図１および図２を参照しながら説明されたように、ＵＥ１１５または基地局１０５あるいはそれの構成要素によって実装され得る。
たとえば、方法１２００の動作は、本明細書で説明されるように、ｅＣＣ  ＤＲＳモジュールによって実行され得る。
いくつかの例では、ＵＥ１１５または基地局１０５は、以下で説明される機能を実行するようにデバイスの機能要素を制御するためのコードのセットを実行し得る。
追加または代替として、ＵＥ１１５または基地局１０５は、専用ハードウェアを使用して、以下で説明される機能態様を実行し得る。
【０１２６】
[0134]ブロック１２０５において、ＵＥ１１５または基地局１０５は、図２〜図４を参照しながら上記で説明されたように、キャリアの狭帯域領域中の１つまたは複数のＤＲＳを識別し、ここで、１つまたは複数のＤＲＳは、第１のＯＦＤＭシンボル持続時間と第１のトーン間隔とを使用する。
いくつかの例では、ブロック１２０５の動作は、図７を参照しながら説明されたように、ＤＲＳ識別構成要素によって実行され得る。
【０１２７】
[0135]ブロック１２１０において、ＵＥ１１５または基地局１０５は、図２〜図４を参照しながら上記で説明されたように、キャリアの第２の領域を識別し、ここで、第２の領域は、第２のＯＦＤＭシンボル持続時間と第２のトーン間隔とをサポートする。
いくつかの例では、ブロック１２１０の動作は、図６を参照しながら説明されたように、ｅＣＣ  ＤＲＳモジュールによって実行され得る。
【０１２８】
[0136]ブロック１２１５において、ＵＥ１１５または基地局１０５は、図２〜図４を参照しながら上記で説明されたように、第１のＯＦＤＭシンボル持続時間と第１のトーン間隔とを使用して、第１の時間期間中に１つまたは複数のＤＲＳと第１のＳＩメッセージとを送信する。
いくつかの例では、ブロック１２１５の動作は、図７を参照しながら説明されたように、発見基準信号構成要素によって実行され得る。
【０１２９】
[0137]ブロック１２２０において、ＵＥ１１５または基地局１０５は、図２〜図４を参照しながら上記で説明されたように、第２のＯＦＤＭシンボル持続時間と第２のトーン間隔とを使用して、第２の時間期間中に第２のＳＩメッセージを送信する。
いくつかの場合には、１つまたは複数のＤＲＳ、第１のＳＩメッセージ、および第２のＳＩメッセージは、デバイスの第１のセットおよびデバイスの第２のセットとの通信をサポートする第１のチャネル上で送信される。
いくつかの例では、ブロック１２２０の動作は、図７を参照しながら説明されたように、システム情報構成要素によって実行され得る。
【０１３０】
[0138]ブロック１２２５において、ＵＥ１１５または基地局１０５は、図２〜図４を参照しながら上記で説明されたように、第１のＯＦＤＭシンボル持続時間と第１のトーン間隔とを使用して、第２のチャネル中で１つまたは複数の追加のＤＲＳを送信し、ここで、第２のチャネルは、デバイスの第２のセットとの通信をサポートする。
いくつかの例では、ブロック１２２５の動作は、図７を参照しながら説明されたように、ＤＲＳ構成要素によって実行され得る。
【０１３１】
[0139]ブロック１２３０において、ＵＥ１１５または基地局１０５は、図２〜図４を参照しながら上記で説明されたように、第２のＯＦＤＭシンボル持続時間と第２のトーン間隔とを使用して、キャリアの第２の領域中で通信する。
いくつかの例では、ブロック１２３０の動作は、図７を参照しながら説明されたように、ｅＣＣ領域通信構成要素によって実行され得る。
【０１３２】
[0140]図１３は、本開示の様々な態様による、ｅＣＣ  ＤＲＳのための方法１３００を示すフローチャートを示す。
方法１３００の動作は、図１および図２を参照しながら説明されたように、ＵＥ１１５、基地局１０５、またはそれの構成要素によって実装され得る。
たとえば、方法１３００の動作は、本明細書で説明されるように、ｅＣＣ  ＤＲＳモジュールによって実行され得る。
いくつかの例では、ＵＥ１１５または基地局１０５は、以下で説明される機能を実行するようにデバイスの機能要素を制御するためのコードのセットを実行し得る。
追加または代替として、ＵＥ１１５または基地局１０５は、専用ハードウェアを使用して、以下で説明される機能態様を実行し得る。
【０１３３】
[0141]ブロック１３０５において、ＵＥ１１５または基地局１０５は、図２〜図４を参照しながら上記で説明されたように、キャリアの狭帯域領域中の１つまたは複数のＤＲＳを識別し、ここで、１つまたは複数のＤＲＳは、第１のＯＦＤＭシンボル持続時間と第１のトーン間隔とを使用する。
いくつかの例では、ブロック１３０５の動作は、図７を参照しながら説明されたように、発見基準信号識別構成要素によって実行され得る。
【０１３４】
[0142]ブロック１３１０において、ＵＥ１１５または基地局１０５は、図２〜図４を参照しながら上記で説明されたように、キャリアの第２の領域を識別し、ここで、第２の領域は、第２のＯＦＤＭシンボル持続時間と第２のトーン間隔とをサポートする。
いくつかの例では、ブロック１０１０の動作は、図６を参照しながら説明されたように、ｅＣＣ  ＤＲＳモジュールによって実行され得る。
【０１３５】
[0143]ブロック１３１５において、ＵＥ１１５または基地局１０５は、図２〜図４を参照しながら上記で説明されたように、第１の時間期間中にキャリアの第１のチャネル中で１つまたは複数のＤＲＳと第１のＳＩメッセージとを送信し、ここで、第１のチャネルは、デバイスの第１のセットおよびデバイスの第２のセットとの通信をサポートする。
いくつかの例では、ブロック１３１５の動作は、図７を参照しながら説明されたように、ＤＲＳ構成要素によって実行され得る。
【０１３６】
[0144]ブロック１３２０において、ＵＥ１１５または基地局１０５は、図２〜図４を参照しながら上記で説明されたように、第２の時間期間中にキャリアの第１のチャネルおよび第２のチャネル中で１つまたは複数の追加のＤＲＳと第２のＳＩメッセージとを送信し、ここで、第２のチャネルは、デバイスの第２のセットとの通信をサポートする。
いくつかの例では、ブロック１３２０の動作は、図７を参照しながら説明されたように、ＤＲＳ構成要素によって実行され得る。
【０１３７】
[0145]ブロック１３２５において、ＵＥ１１５または基地局１０５は、図２〜図４を参照しながら上記で説明されたように、第２のＯＦＤＭシンボル持続時間と第２のトーン間隔とを使用して、キャリアの第２の領域中で通信する。
いくつかの例では、ブロック１３２５の動作は、図７を参照しながら説明されたように、ｅＣＣ領域通信構成要素によって実行され得る。
【０１３８】
[0146]これらの方法は可能な実装形態を表すこと、ならびに動作およびステップは、他の実装形態が可能であるように、並べ替えられるかまたは場合によっては変更され得ることに留意されたい。
いくつかの例では、図１０、図１１、１２、または図１３を参照しながら説明された方法１０００、１１００、１２００、または１３００のうちの２つまたはそれ以上からの態様が組み合わせられ得る。
方法１０００、１１００、１２００、および１３００は例示的な実装形態にすぎないこと、ならびに方法１０００、１１００、１２００、および１３００の動作は、他の実装形態が可能であるように、構成されるかまたは場合によっては変更され得ることに留意されたい。
たとえば、方法１０００、１１００、１２００、または１３００の各々の態様は、他の方法のステップまたは態様、あるいは本明細書で説明される他のステップまたは技法を含み得る。
したがって、本開示の態様はｅＣＣ  ＤＲＳを提供し得る。
【０１３９】
[0147]本明細書の説明は、当業者が本開示を作成または使用することができるように与えられた。
本開示への様々な変更は当業者には容易に明らかとなり、本明細書で定義された一般原理は、本開示の範囲から逸脱することなく他の変形形態に適用され得る。
したがって、本開示は、本明細書で説明される例および設計に限定されるべきでなく、本明細書で開示される原理および新規の特徴に合致する最も広い範囲を与えられるべきである。
【０１４０】
[0148]本明細書で使用される「に基づいて」という句は、条件の閉集合への参照として解釈されないものとする。
たとえば、「条件Ａに基づいて」と記述された例示的なステップは、本開示の範囲から逸脱することなく条件Ａと条件Ｂの両方に基づき得る。
言い換えれば、本明細書で使用される「に基づいて」という句は、「に少なくとも部分的に基づいて」という句と同様にして解釈されるものとする。
【０１４１】
[0149]本明細書で説明される機能は、ハードウェア、プロセッサによって実行されるソフトウェア、ファームウェア、またはそれらの任意の組合せで実装され得る。
プロセッサによって実行されるソフトウェアで実装される場合、機能は、１つまたは複数の命令またはコードとして、コンピュータ可読媒体上に記憶されるか、またはコンピュータ可読媒体を介して送信され得る。
他の例および実装形態は、本開示の範囲内および添付の特許請求の範囲内に入る。
たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。
機能を実装する特徴はまた、異なる物理ロケーションにおいて機能の部分が実装されるように分散されることを含めて、様々な位置に物理的に配置され得る。
特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。
たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。
また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４２】
[0150]コンピュータ可読媒体は、ある場所から別の場所へのコンピュータプログラムの転送を可能にする任意の媒体を含む、非一時的コンピュータ記憶媒体と通信媒体の両方を含む。
非一時的記憶媒体は、汎用または専用コンピュータによってアクセスされ得る任意の利用可能な媒体であり得る。
限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。
また、いかなる接続もコンピュータ可読媒体と適切に呼ばれる。
たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。
本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。
上記の組合せもコンピュータ可読媒体の範囲内に含まれる。
【０１４３】
[0151]本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムなど、様々なワイヤレス通信システムのために使用され得る。
「システム」および「ネットワーク」という用語は、しばしば互換的に使用される。
ＣＤＭＡシステムは、ＣＤＭＡ２０００、ユニバーサル地上波無線アクセス（ＵＴＲＡ）などの無線技術を実装し得る。
ＣＤＭＡ２０００は、ＩＳ−２０００、ＩＳ−９５、およびＩＳ−８５６規格をカバーする。
ＩＳ−２０００リリース０およびＡは、一般に、ＣＤＭＡ２０００  １Ｘ、１Ｘなどと呼ばれる。
ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。
ＵＴＲＡは、広帯域ＣＤＭＡ（ＷＣＤＭＡ（登録商標））とＣＤＭＡの他の変形態とを含む。
ＴＤＭＡシステムは、（グローバルシステムフォーモバイルコミュニケーション（ＧＳＭ（登録商標）））などの無線技術を実装し得る。
ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ワイヤレスフィデリティ（Ｗｉ−Ｆｉ（登録商標）））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。
ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。
３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。
ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。
ＣＤＭＡ２０００およびＵＭＢは、「第３世代パートナーシッププロジェクト２」（３ＧＰＰ２：3rd Generation Partnership Project 2）と称する団体からの文書に記載されている。
本明細書で説明される技法は、上記のシステムおよび無線技術、ならびに他のシステムおよび無線技術に使用され得る。
ただし、本明細書の説明は、例としてＬＴＥシステムについて説明し、上記の説明の大部分においてＬＴＥ用語が使用されるが、本技法はＬＴＥ適用例以外に適用可能である。
【０１４４】
[0152]本明細書で説明されるネットワークを含む、ＬＴＥ／ＬＴＥ−Ａネットワークでは、発展型ノードＢ（ｅＮＢ）という用語は、概して、基地局を表すために使用され得る。
本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。
たとえば、各ｅＮＢまたは基地局は、マクロセル、スモールセル、または他のタイプのセルに通信カバレージを与え得る。
「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１４５】
[0153]基地局は、基地トランシーバ局、無線基地局、アクセスポイント（ＡＰ）、無線トランシーバ、ノードＢ、ｅＮＢ、ホームノードＢ、ホームｅＮＢ、または何らかの他の好適な用語を含み得るか、あるいはそのように当業者によって呼ばれることがある。
基地局のための地理的カバレージエリアは、カバレージエリアの一部分のみを構成するセクタに分割され得る。
本明細書で説明される１つまたは複数のワイヤレス通信システムは、異なるタイプの基地局（たとえば、マクロセル基地局またはスモールセル基地局）を含み得る。
本明細書で説明されるＵＥは、マクロｅＮＢ、スモールセルｅＮＢ、リレー基地局などを含む様々なタイプの基地局およびネットワーク機器と通信することが可能であり得る。
異なる技術のための重複する地理的カバレージエリアがあり得る。
【０１４６】
[0154]マクロセルは、概して、比較的大きい地理的エリア（たとえば、半径数キロメートル）をカバーし、ネットワークプロバイダのサービスに加入しているＵＥによる無制限アクセスを可能にし得る。
スモールセルは、マクロセルと比較して、マクロセルと同じまたは異なる（たとえば、認可、無認可などの）周波数帯域内で動作し得る、低電力基地局である。
スモールセルは、様々な例によれば、ピコセルと、フェムトセルと、マイクロセルとを含み得る。
ピコセルは、たとえば、小さい地理的エリアをカバーし得、ネットワークプロバイダのサービスに加入しているＵＥによる無制限アクセスを可能にし得る。
フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。
マクロセルのためのｅＮＢはマクロｅＮＢと呼ばれることがある。
スモールセルのためのｅＮＢは、スモールセルｅＮＢ、ピコｅＮＢ、フェムトｅＮＢ、またはホームｅＮＢと呼ばれることがある。
ｅＮＢは、１つまたは複数の（たとえば、２つ、３つ、４つなどの）セル（たとえば、ＣＣ）をサポートし得る。
ＵＥは、マクロｅＮＢ、スモールセルｅＮＢ、リレー基地局などを含む、様々なタイプの基地局およびネットワーク機器と通信することが可能であり得る。
【０１４７】
[0155]本明細書で説明される１つまたは複数のワイヤレス通信システムは、同期動作または非同期動作をサポートし得る。
同期動作の場合、基地局は同様のフレームタイミングを有し得、異なる基地局からの送信は近似的に時間的に整合され得る。
非同期動作の場合、基地局は異なるフレームタイミングを有し得、異なる基地局からの送信は時間的に整合されないことがある。
本明細書で説明される技法は、同期動作または非同期動作のいずれかのために使用され得る。
【０１４８】
[0156]本明細書で説明されるＤＬ送信は順方向リンク送信と呼ばれることもあり、ＵＬ送信は逆方向リンク送信と呼ばれることもある。
たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。
各被変調信号は、異なるサブキャリア上で送られ得、制御情報（たとえば、基準信号、制御チャネルなど）、オーバーヘッド情報、ユーザデータなどを搬送し得る。
本明細書で説明される通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。
ＦＤＤ（たとえば、フレーム構造タイプ１）およびＴＤＤ（たとえば、フレーム構造タイプ２）のためのフレーム構造が定義され得る。
【０１４９】
[0157]したがって、本開示の態様はｅＣＣ  ＤＲＳを提供し得る。
これらの方法は可能な実装形態を表すこと、ならびに動作およびステップは、他の実装形態が可能であるように、並べ替えられるかまたは場合によっては変更され得ることに留意されたい。
いくつかの例では、方法のうちの２つまたはそれ以上からの態様が組み合わせられ得る。
【０１５０】
[0158]本明細書の開示に関して説明される様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。
汎用プロセッサはマイクロプロセッサであり得るが、代替として、プロセッサは、任意の従来のプロセッサ、コントローラ、マイクロコントローラ、または状態機械であり得る。
プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
したがって、本明細書で説明される機能は、１つまたは複数の他の処理ユニット（またはコア）によって、少なくとも１つの集積回路（ＩＣ）上で実行され得る。
様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。
各ユニットの機能はまた、全体的または部分的に、１つまたは複数の汎用または特定用途向けプロセッサによって実行されるようにフォーマットされた、メモリに組み込まれた命令を用いて実装され得る。
【０１５１】
[0159]添付の図では、同様の構成要素または特徴は同じ参照ラベルを有し得る。
さらに、同じタイプの様々な構成要素は、参照ラベルの後に、ダッシュと、それらの同様の構成要素同士を区別する第２のラベルとを続けることによって区別され得る。
第１の参照ラベルのみが本明細書において使用される場合、その説明は、第２の参照ラベルにかかわらず、同じ第１の参照ラベルを有する同様の構成要素のうちのいずれか１つに適用可能である。
以下に、本願出願の当初の特許請求の範囲に記載された発明を付記する。
［Ｃ１］
第１のトーン間隔に関連する第１の直交周波数分割多重（ＯＦＤＭ）シンボル持続時間を使用するデバイスの第１のセットと、第２のトーン間隔に関連する第２のＯＦＤＭシンボル持続時間を使用するデバイスの第２のセットとの通信をサポートするシステムにおけるワイヤレス通信のための方法であって、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を備える、方法。
［Ｃ２］
前記キャリアの前記狭帯域領域中の前記１つまたは複数のＤＲＳは、前記第１のＯＦＤＭシンボル持続時間と前記第１のトーン間隔とに従って動作する第１の受信機を使用して識別され、前記キャリアの前記第２の領域中の前記通信は、前記第２のＯＦＤＭシンボル持続時間と前記第２のトーン間隔とに従って動作する第２の受信機を使用する、
［Ｃ１］に記載の方法。
［Ｃ３］
前記第１の受信機を使用してセル探索または測定プロシージャを実行することをさらに備え、前記１つまたは複数のＤＲＳは、前記セル探索または測定プロシージャに少なくとも部分的に基づいて識別される、
［Ｃ２］に記載の方法。
［Ｃ４］
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信することと、
前記第２のＯＦＤＭシンボル持続時間と前記第２のトーン間隔とを使用して、第２の時間期間中に第２のＳＩメッセージを送信することと
をさらに備える、［Ｃ１］に記載の方法。
［Ｃ５］
前記第２のＳＩメッセージは、前記第１のＳＩメッセージに対する差分を備える、
［Ｃ４］に記載の方法。
［Ｃ６］
前記第１のＯＦＤＭシンボル持続時間と前記第１のトーン間隔とを使用して、第２のチャネル中で１つまたは複数の追加のＤＲＳを送信することをさらに備え、前記第２のチャネルは、前記デバイスの第２のセットとの通信をサポートする、
［Ｃ４］に記載の方法。
［Ｃ７］
第１の時間期間中に前記キャリアの第１のチャネル中で前記１つまたは複数のＤＲＳと第１のシステム情報（ＳＩ）メッセージとを送信すること、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信すること、ここにおいて、前記第２のチャネルは、前記デバイスの第２のセットとの通信をサポートする、と
をさらに備える、［Ｃ１］に記載の方法。
［Ｃ８］
ユーザ機器（ＵＥ）から測定報告を受信することと、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定することと
をさらに備える、［Ｃ１］に記載の方法。
［Ｃ９］
ユーザ機器（ＵＥ）から測定報告を受信することと、
前記測定報告に少なくとも部分的に基づいて、ネイバー基地局によって使用されるシステム帯域幅のチャネルの数を決定することと
をさらに備える、［Ｃ１］に記載の方法。
［Ｃ１０］
前記測定報告は、前記ネイバー基地局によって使用されるＤＲＳを備える各チャネルについての情報を備える、
［Ｃ９］に記載の方法。
［Ｃ１１］
プライマリチャネル上での複数のクリアチャネルアセスメント（ＣＣＡ）試みが、送信ウィンドウ中に不成功だったと決定することと、
前記送信ウィンドウ中に前記１つまたは複数のＤＲＳを送信することを控えることと
をさらに備える、［Ｃ１］に記載の方法。
［Ｃ１２］
前記キャリアのプライマリチャネル上での第１のＣＣＡ試みが不成功だったと決定することと、
前記キャリアの非プライマリチャネル上での第２のＣＣＡ試みが成功したと決定することと、
前記第１のＣＣＡ試みが不成功だったという前記決定と前記第２のＣＣＡ試みが成功したという前記決定とに少なくとも部分的に基づいて、前記非プライマリチャネル上で前記１つまたは複数のＤＲＳを送信すること、ここにおいて、前記非プライマリチャネルは、前記キャリアの前記狭帯域領域を備える、と
をさらに備える、［Ｃ１］に記載の方法。
［Ｃ１３］
前記１つまたは複数のＤＲＳは、前記第１のＯＦＤＭシンボル持続時間と前記第１のトーン間隔とを使用する通信が、前記狭帯域領域を備えるチャネルによってサポートされるかどうかのインジケーションを備える、
［Ｃ１］に記載の方法。
［Ｃ１４］
前記１つまたは複数のＤＲＳ、ＳＩメッセージ、前記１つまたは複数のＤＲＳ内の異なるパイロット間の位相シフト、ＤＲＳ内のプライマリ同期信号（ＰＳＳ）に対するセカンダリ同期信号（ＳＳＳ）の相対ロケーション、または前記ＳＩメッセージの成功した復号試みに少なくとも部分的に基づいて、チャネルが、前記第１のＯＦＤＭシンボル持続時間と前記第１のトーン間隔とを使用する通信をサポートするかどうかを決定することをさらに備える、
［Ｃ１］に記載の方法。
［Ｃ１５］
前記１つまたは複数のＤＲＳのための第１の送信電力レベルを識別すること、ここにおいて、前記第１の送信電力レベルは、前記１つまたは複数のＤＲＳを含んでいる送信によって占有される帯域幅に依存しない、と、
前記キャリアの帯域幅を識別することと、
前記１つまたは複数のＤＲＳのための前記第１の送信電力レベル、前記キャリアのための総送信電力、または前記１つまたは複数のＤＲＳを含んでいる前記送信によって占有される前記帯域幅、あるいはそれらの組合せに少なくとも部分的に基づいて、前記１つまたは複数のＤＲＳを含んでいる前記送信によって占有される前記帯域幅の外側の領域のための第２の送信電力レベルを調整することと
をさらに備える、［Ｃ１］に記載の方法。
［Ｃ１６］
前記１つまたは複数のＤＲＳは、プライマリ同期信号（ＰＳＳ）、セカンダリ同期信号（ＳＳＳ）、マスタ情報ブロック（ＭＩＢ）、セル固有基準信号（ＣＲＳ）、チャネル状態情報基準信号（ＣＳＩ−ＲＳ）、またはそれらの任意の組合せを備える、
［Ｃ１］に記載の方法。
［Ｃ１７］
前記１つまたは複数のＤＲＳは、前記デバイスの第１のセットと前記デバイスの第２のセットとに宛てられる、
［Ｃ１］に記載の方法。
［Ｃ１８］
前記キャリアの前記狭帯域領域は、前記キャリアのチャネルの６つまたは８つの中心リソースブロック（ＲＢ）を備える、
［Ｃ１］に記載の方法。
［Ｃ１９］
前記第１のＯＦＤＭシンボル持続時間は、前記第２のＯＦＤＭシンボル持続時間よりも大きく、前記第１のトーン間隔は、前記第２のトーン間隔よりも小さい、
［Ｃ１］に記載の方法。
［Ｃ２０］
前記狭帯域領域は、前記狭帯域領域が前記キャリアの前記第２の領域と周波数分割多重化されたとき、第１のガードバンドと第２のガードバンドとによって画定される、
［Ｃ１］に記載の方法。
［Ｃ２１］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、
キャリアの狭帯域領域中の１つまたは複数の発見基準信号（ＤＲＳ）を識別するための手段、ここにおいて、前記１つまたは複数のＤＲＳは、前記第１のＯＦＤＭシンボル持続時間と前記第１のトーン間隔とを使用する、と、
前記キャリアの第２の領域を識別するための手段、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信するための手段と
を備える、装置。
［Ｃ２２］
前記キャリアの前記狭帯域領域中の１つまたは複数のＤＲＳを前記識別するための手段は、前記第１のＯＦＤＭシンボル持続時間と前記第１のトーン間隔とに従って動作する第１の受信機を備え、前記キャリアの前記第２の領域中で前記通信するための手段は、前記第２のＯＦＤＭシンボル持続時間と前記第２のトーン間隔とに従って動作する第２の受信機を備える、
［Ｃ２１］に記載の装置。
［Ｃ２３］
前記第１の受信機を使用してセル探索または測定プロシージャを実行するための手段をさらに備え、前記１つまたは複数のＤＲＳを前記識別するための手段は、前記セル探索または測定プロシージャに少なくとも部分的に基づいて動作可能である、
［Ｃ２２］に記載の装置。
［Ｃ２４］
前記第１のＯＦＤＭシンボル持続時間と前記第１のトーン間隔とを使用して、第１の時間期間中に前記１つまたは複数のＤＲＳと第１のシステム情報（ＳＩ）メッセージとを送信するための手段と、
前記第２のＯＦＤＭシンボル持続時間と前記第２のトーン間隔とを使用して、第２の時間期間中に第２のＳＩメッセージを送信するための手段と
をさらに備える、［Ｃ２１］に記載の装置。
［Ｃ２５］
前記第２のＳＩメッセージは、前記第１のＳＩメッセージに対する差分を備える、
［Ｃ２４］に記載の装置。
［Ｃ２６］
前記第１のＯＦＤＭシンボル持続時間と前記第１のトーン間隔とを使用して、第２のチャネル中で１つまたは複数の追加のＤＲＳを送信するための手段をさらに備え、前記第２のチャネルは、前記デバイスの第２のセットとの通信をサポートする、
［Ｃ２４］に記載の装置。
［Ｃ２７］
第１の時間期間中に前記キャリアの第１のチャネル中で前記１つまたは複数のＤＲＳと第１のシステム情報（ＳＩ）メッセージとを送信するための手段、ここにおいて、前記第１のチャネルは、前記デバイスの第１のセットおよび前記デバイスの第２のセットとの通信をサポートする、と、
第２の時間期間中に前記キャリアの前記第１のチャネルおよび第２のチャネル中で１つまたは複数の追加のＤＲＳと第２のＳＩメッセージとを送信するための手段、ここにおいて、前記第２のチャネルは、前記デバイスの第２のセットとの通信をサポートする、と
をさらに備える、［Ｃ２１］に記載の装置。
［Ｃ２８］
ユーザ機器（ＵＥ）から測定報告を受信するための手段と、
前記測定報告に少なくとも部分的に基づいて、ネイバー基地局のためのシステム帯域幅チャネルの数を、前記ネイバー基地局が、前記第２のＯＦＤＭシンボル持続時間と前記第２のトーン間隔とを使用する通信をサポートすることを、または、前記第２のＯＦＤＭシンボル持続時間および前記第２のトーン間隔が、前記ネイバー基地局によってサポートされないことを、決定するための手段と、
をさらに備える、［Ｃ２１］に記載の装置。
［Ｃ２９］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のための装置であって、システムにおいて、
プロセッサと、
前記プロセッサと電子通信しているメモリと、
前記メモリに記憶された命令と
を備え、前記命令は、前記プロセッサによって実行されたとき、前記装置に、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を行わせるように動作可能である、装置。
［Ｃ３０］
第１のトーン間隔に関連する第１の直交周波数分割多重（ＯＦＤＭ）シンボル持続時間を使用するデバイスの第１のセット、および第２のトーン間隔に関連する第２のＯＦＤＭシンボル持続時間を使用するデバイスの第２のセットとの通信をサポートするシステムにおけるワイヤレス通信のためのコードを記憶する非一時的コンピュータ可読媒体であって、前記コードは、
キャリアの狭帯域領域中の１つまたは複数の発見基準信号（ＤＲＳ）を識別すること、ここにおいて、前記１つまたは複数のＤＲＳは、前記第１のＯＦＤＭシンボル持続時間と前記第１のトーン間隔とを使用する、と、
前記キャリアの第２の領域を識別すること、ここにおいて、前記第２の領域は、前記第２のＯＦＤＭシンボル持続時間と前記第２のトーン間隔とをサポートする、と、
前記第２のＯＦＤＭシンボル持続時間と前記第２のトーン間隔とを使用して、前記キャリアの前記第２の領域中で通信することと
を行うために実行可能な命令を備える、非一時的コンピュータ可読媒体。
【図１】
0006779991.tif 000002
【図２】
0006779991.tif 000003
【図３Ａ】
0006779991.tif 000004
【図３Ｂ】
0006779991.tif 000005
【図３Ｃ】
0006779991.tif 000006
【図４】
0006779991.tif 000007
【図５】
0006779991.tif 000008
【図６】
0006779991.tif 000009
【図７】
0006779991.tif 000010
【図８】
0006779991.tif 000011
【図９】
0006779991.tif 000012
【図１０】
0006779991.tif 000013
【図１１】
0006779991.tif 000014
【図１２】
0006779991.tif 000015
【図１３】
0006779991.tif 000016